(57)【特許請求の範囲】
【請求項１】
画像形成媒体に画像を両面印刷するために、片面印刷時と異なる画像処理を行う画像処理装置であって、
文字画像が、両面印刷時の裏写りを抑制するための所定の係数を用いて中間調処理された文字のビットマップデータを形成する文字形成手段と、
前記文字画像において、階段状に変化した前記文字の輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手段と、
前記文字形成手段により形成されたビットマップデータと、前記補正ドット形成手段により形成された補正ドットとを合成する合成手段とを有することを特徴とする画像処理装置。
【請求項２】
画像形成媒体に画像を両面印刷するために、片面印刷時と異なる画像処理を行う画像処理装置であって、
文字画像の輪郭部周辺に対して画素を付加し、太文字画像を形成する太文字画像形成手段と、
前記太文字画像形成手段により形成された太文字画像が、両面印刷時の裏写りを抑制するための所定の係数を用いて中間調処理された文字のビットマップデータを形成する文字形成手段と、
前記太文字画像の階段状に変化した輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手段と、
前記文字形成手段により形成されたビットマップデータと、前記補正ドット形成手段により形成された補正ドットとを合成する合成手段とを有することを特徴とする画像処理装置。
【請求項３】
画像形成媒体に画像を両面印刷するために、片面印刷時と異なる画像処理を行う画像処理装置であって、
文字画像の輪郭部の画素を、前記画素の階調値より大きい階調値を有する画素に置き換え、輪郭強調文字画像を形成する輪郭強調文字画像形成手段と、
前記輪郭強調文字画像形成手段により形成された輪郭強調文字画像が、両面印刷時の裏写りを抑制するための所定の係数を用いて中間調処理された文字のビットマップデータを形成する文字形成手段と、
前記輪郭強調文字画像の階段状に変化した輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手段と、
前記文字形成手段により形成されたビットマップデータと、前記補正ドット形成手段により形成された補正ドットとを合成する合成手段とを有することを特徴とする画像処理装置。
【請求項４】
前記補正ドットの色と前記補正ドットのドットサイズは、
前記両面印刷される前記文字の色に応じて設定されることを特徴とする請求項１ないし３のいずれか一項に記載の画像処理装置。
【請求項５】
前記補正ドット形成手段は、
前記両面印刷される前記文字の色が、シアンインク、マゼンタインク、及びイエローインクの３色とブラックインクとを組み合わせたコンポジットブラックで再現される場合に、
前記コンポジットブラック又はブラックインクで再現されたリアルブラックのどちらか一方が設定された前記補正ドットの色に基づいて、前記補正ドットを形成することを特徴とする請求項１ないし４のいずれか一項に記載の画像処理装置。
【請求項６】
前記補正ドット形成手段は、
前記補正ドットの色に前記リアルブラックが設定された第１の補正ドットと、前記シアンインク、マゼンタインク、及びイエローインクの３色が設定された第２の補正ドットとから、前記コンポジットブラックが設定された補正ドットを形成することを特徴とする請求項１ないし５のいずれか一項に記載の画像処理装置。
【請求項７】
前記補正ドット形成手段は、
前記補正ドットのドットサイズの大きさが異なる前記第１の補正ドットと前記第２の補正ドットとから、前記コンポジットブラックが設定された補正ドットを形成することを特徴とする請求項６に記載の画像処理装置。
【請求項８】
前記太文字画像形成手段又は前記輪郭強調画像形成手段は、
前記文字のサイズに応じて、前記太文字画像又は前記輪郭強調画像を形成することを特徴とする請求項２又は３に記載の画像処理装置。
【請求項９】
前記請求項１ないし３のいずれか一項に記載の画像処理装置と、
記録ヘッドから記録液を吐出し、前記画像処理装置により処理されたラスタイメージを画像形成媒体上に形成する画像形成部とを有し、
前記画像形成媒体へ複数のドットからなる画像を印刷する画像形成装置。
【請求項１０】
画像形成媒体に画像を両面印刷するために、片面印刷時と異なる画像処理を行う画像処理方法であって、
文字画像が、両面印刷時の裏写りを抑制するための所定の係数を用いて中間調処理された文字のビットマップデータを形成する文字形成手順と、
前記文字画像において、階段状に変化した前記文字の輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手順と、
前記文字形成手順により形成されたビットマップデータと、前記補正ドット形成手順により形成された補正ドットとを合成する合成手順とを有することを特徴とする画像処理方法。
【請求項１１】
画像形成媒体に画像を両面印刷するために、片面印刷時と異なる画像処理を行う画像処理方法であって、
文字画像の輪郭部周辺に対して画素を付加し、太文字画像を形成する太文字画像形成手順と、
前記太文字画像形成手順により形成された太文字画像が、両面印刷時の裏写りを抑制するための所定の係数を用いて中間調処理された文字のビットマップデータを形成する文字形成手順と、
前記太文字画像の階段状に変化した輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手順と、
前記文字形成手順により形成されたビットマップデータと、前記補正ドット形成手順により形成された補正ドットとを合成する合成手順とを有することを特徴とする画像処理方法。
【請求項１２】
画像形成媒体に画像を両面印刷するために、片面印刷時と異なる画像処理を行う画像処理方法であって、
文字画像の輪郭部の画素を、前記画素の階調値より大きい階調値を有する画素に置き換え、輪郭強調文字画像を形成する輪郭強調文字画像形成手順と、
前記輪郭強調文字画像形成手順により形成された輪郭強調文字画像が、両面印刷時の裏写りを抑制するための所定の係数を用いて中間調処理された文字のビットマップデータを形成する文字形成手順と、
前記輪郭強調文字画像の階段状に変化した輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手順と、
前記文字形成手順により形成されたビットマップデータと、前記補正ドット形成手順により形成された補正ドットとを合成する合成手順とを有することを特徴とする画像処理方法。
【発明の詳細な説明】
【技術分野】
【０００１】
本発明は、画像処理装置に係り、特に両面印刷時にジャギー補正処理を行う画像処理装置に関するものである。
【背景技術】
【０００２】
従来より、インクジェット記録方式による画像形成装置は、高速記録が可能で、いわゆる普通紙に特別の定着処理を要せずに記録でき、記録時の騒音発生が無視できる程度に小さい点から注目されている。このようなインクジェット記録方式は、記録液室（以下、「インク液室」という。）と、それに連通したノズルが形成されたインクジェットヘッド（以下、「記録ヘッド」という。）を用いて、印刷画像に応じて、インク液室内のインクに所定の圧力を加えることにより、インク滴をノズルから飛翔させ、紙やフィルムなどの画像形成媒体（被記録媒体）に付着させて画像を形成する。
【０００３】
このような画像形成方式による画像形成装置において、低コストと高速印刷を保ったまま、高品質な印刷結果を得るには、限られた記録ヘッドの解像度において、いかにして良好な印刷画像の品質を実現するかが重要な課題である。
【０００４】
インクジェット記録方式による画像形成装置が出力する印刷画像は、記録ヘッドの走査方向（主走査方向）、及びそれと直交する方向である画像形成媒体（被記録媒体）の搬送方向（副走査方向）に、マトリクス状に配置されたドットによって形成される。
【０００５】
ドットによって形成された印刷画像として文字画像を印字したとき、印字する印刷画像の解像度によって、印字された文字の品質は大きく異なる。例えば、同じ大きさの文字を、３００dpi（dot per inch）で印字したときと６００dpiで印字したときとでは、印字された文字を構成するドット数が約４倍異なるため、６００dpiで印字したときの方が文字の細部まで再現でき、当然のことながら印字文字の品質はよい。特に、文字の斜線部や曲線部では、解像度に従って、階段状に変化していく（ドットが増えていく、又は減っていく。）ので、３００dpiで印字したときの方が、ギザギザ（ジャギー）として認識されやすくなる。
【０００６】
インクジェット記録方式による画像形成装置において、こうした低解像度時に現れるジャギーを軽減する方法として、従来アンチエイリアシングと呼ばれているスムージング方法がある。しかし、この方法では、ジャギーが発生した箇所（例えば、文字の場合には階段状に変化した輪郭部）を非常に多くの階調でドットを変化させるため、高精度のスムージングが可能であるが、一方、その処理が非常に複雑で、処理時間がかかってしまうため、高い印刷性能を要求される画像形成装置には不向きな対応方法である。
【０００７】
また、その他のジャギー補正方法として、特許文献１に記載された処理方法がある。これは、フォントメモリ上に展開した文字のビットマップデータであるドットフォントを、予め用意しておいたジャギーを検出し補正する複数のジャギー補正パターンを用いてパターンマッチングを行うことで文字の輪郭部に発生したジャギーを検出し、マッチングした画素に対して、ドットサイズが小さいドット（インクの付着量を少なくすることにより再現されたドット）に置き換えることにより、ジャギー補正するものである。
【特許文献１】特開２００３−３３４９３８号公報
【発明の開示】
【発明が解決しようとする課題】
【０００８】
しかしながら、上記に挙げる従来のジャギー補正方法では、両面印刷時に適用した場合に、両面印刷時の裏移りを抑制するために印刷画像の階調をおとし濃度を薄くした印字文字に、片面印刷時の濃度のジャギー補正ドットを合成してしまうため、印字された文字の補正箇所である輪郭部が濃くなり印字文字が縁取られたようになってしまう。これにより、印刷画像の品質は劣化し、読みづらい印字となる。
【０００９】
そこで、本発明では、上記従来技術の問題点に鑑み、両面印刷時において、文字画像の階段状の変化（ジャギー）が目立たず、高品質な印字を実現できる画像処理装置、画像形成装置、及び画像処理方法を提供することを目的とする。
【課題を解決するための手段】
【００１０】
上記目的を達成するため、本発明の画像処理装置は、画像形成媒体に画像を両面印刷するために、片面印刷時と異なる画像処理を行う画像処理装置であって、文字画像が、両面印刷時の裏写りを抑制するための所定の係数を用いて中間調処理された文字のビットマップデータを形成する文字形成手段と、前記文字画像において、階段状に変化した前記文字の輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手段と、前記文字形成手段により形成されたビットマップデータと、前記補正ドット形成手段により形成された補正ドットとを合成する合成手段とを有することを特徴とする。
【００１１】
また、上記目的を達成するため、本発明の画像処理装置は、画像形成媒体に画像を両面印刷するために、片面印刷時と異なる画像処理を行う画像処理装置であって、文字画像の輪郭部周辺に対して画素を付加し、太文字画像を形成する太文字画像形成手段と、前記太文字画像形成手段により形成された太文字画像が、両面印刷時の裏写りを抑制するための所定の係数を用いて中間調処理された文字のビットマップデータを形成する文字形成手段と、前記太文字画像の階段状に変化した輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手段と、前記文字形成手段により形成されたビットマップデータと、前記補正ドット形成手段により形成された補正ドットとを合成する合成手段とを有することを特徴とする。
【００１２】
また、上記目的を達成するため、本発明の画像処理装置は、画像形成媒体に画像を両面印刷するために、片面印刷時と異なる画像処理を行う画像処理装置であって、文字画像の輪郭部の画素を、前記画素の階調値より大きい階調値を有する画素に置き換え、輪郭強調文字画像を形成する輪郭強調文字画像形成手段と、前記輪郭強調文字画像形成手段により形成された輪郭強調文字画像が、両面印刷時の裏写りを抑制するための所定の係数を用いて中間調処理された文字のビットマップデータを形成する文字形成手段と、前記輪郭強調文字画像の階段状に変化した輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手段と、前記文字形成手段により形成されたビットマップデータと、前記補正ドット形成手段により形成された補正ドットとを合成する合成手段とを有することを特徴とする。
【００１６】
上記目的を達成するため、本発明の画像処理方法は、画像形成媒体に画像を両面印刷するために、片面印刷時と異なる画像処理を行う画像処理方法であって、文字画像が、両面印刷時の裏写りを抑制するための所定の係数を用いて中間調処理された文字のビットマップデータを形成する文字形成手順と、前記文字画像において、階段状に変化した前記文字の輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手順と、前記文字形成手順により形成されたビットマップデータと、前記補正ドット形成手順により形成された補正ドットとを合成する合成手順とを有することを特徴とする。
【００１７】
また、上記目的を達成するため、本発明の画像処理方法は、画像形成媒体に画像を両面印刷するために、片面印刷時と異なる画像処理を行う画像処理方法であって、文字画像の輪郭部周辺に対して画素を付加し、太文字画像を形成する太文字画像形成手順と、前記太文字画像形成手順により形成された太文字画像が、両面印刷時の裏写りを抑制するための所定の係数を用いて中間調処理された文字のビットマップデータを形成する文字形成手順と、前記太文字画像の階段状に変化した輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手順と、前記文字形成手順により形成されたビットマップデータと、前記補正ドット形成手順により形成された補正ドットとを合成する合成手順とを有することを特徴とする。
【００１８】
また、上記目的を達成するため、本発明の画像処理方法は、画像形成媒体に画像を両面印刷するために、片面印刷時と異なる画像処理を行う画像処理方法であって、文字画像の輪郭部の画素を、前記画素の階調値より大きい階調値を有する画素に置き換え、輪郭強調文字画像を形成する輪郭強調文字画像形成手順と、前記輪郭強調文字画像形成手順により形成された輪郭強調文字画像が、両面印刷時の裏写りを抑制するための所定の係数を用いて中間調処理された文字のビットマップデータを形成する文字形成手順と、前記輪郭強調文字画像の階段状に変化した輪郭部に対し、前記階段状の変化を軽減する補正を行うときの補正ドットの配置位置と、前記補正ドットの色と、前記所定の係数を用いて中間調処理された階調を再現する前記補正ドットのドットサイズとに基づいて前記補正ドットを形成する補正ドット形成手順と、前記文字形成手順により形成されたビットマップデータと、前記補正ドット形成手順により形成された補正ドットとを合成する合成手順とを有することを特徴とする。
【発明の効果】
【００２２】
本発明によれば、両面印刷において、文字画像の階段状に変化した（ジャギーが発生した）輪郭部に対し、階段状の変化（ジャギー）を軽減する補正（ジャギー補正）を行うときに、画像形成される補正ドットの再現色の濃度が裏写りを抑制するための濃度と同じ濃度となるように、補正ドット形成時のインクの付着量（ドットサイズ）を調整することにより、文字画像の階段状の変化（ジャギー）が目立たず、高品質の印字が可能な画像処理装置、画像形成装置、及び画像処理方法を提供することができる。
【発明を実施するための最良の形態】
【００２３】
以下、本発明の好適な実施の形態（以下、「実施形態」という。）について、図面を用いて詳細に説明する。
【００２４】
［第１の実施形態］
＜両面印刷可能な画像形成装置の印刷動作例について＞
まず、本実施形態に係る画像形成装置で行われる印刷動作について簡単に説明する。
【００２５】
＜＜片面印刷の場合＞＞
本実施形態に係る画像形成装置は、装置本体の内部にインクジェット記録方式の画像形成部を有している。装置本体の下方側に多数枚の画像形成媒体（被記録媒体）（以下、「用紙」という。）を積載可能な給紙トレイを備え、この給紙トレイから給紙される用紙を取り込み、搬送機構によって用紙を搬送し、画像形成部によって印刷要求された所定の画像を用紙上に形成する。その後、装置本体の側方に装着された排紙トレイに用紙を排紙する。
【００２６】
＜＜両面印刷の場合＞＞
また、画像形成装置は、装置本体に対して着脱可能な両面機構（両面ユニット）を備え、両面印刷を行うときに、第１面（表面）の印刷終了後、搬送機構によって用紙を逆方向に搬送し、両面機能（両面ユニット）内に取り込み、用紙を反転させる搬送経路を経由して、もう一方の第２面（裏面）を印刷面として再度搬送機構に送り込み、両面印刷終了後、排紙トレイに用紙を排紙する。
【００２７】
＜画像形成装置のハードウェア構成について＞
では、次に、上記に説明を行った印刷動作を実現する本実施形態に係る画像形成装置のハードウェア構成について図１を用いて説明する。
【００２８】
図１は、本発明の第１の実施形態に係る画像形成装置のハードウェア構成の一例を示す図である。
【００２９】
本実施形態に係る画像形成装置５００は、以下に説明する制御部２００によってインクジェット記録方式による印刷動作の制御を行っている。
【００３０】
制御部２００は、当該装置全体の制御を司るＣＰＵ（Central Processing Unit）２０１と、ＣＰＵ２０１が実行するプログラムとその他の固定データを格納するＲＯＭ（Read Only Memory）２０２と、ＣＰＵ２０１により展開（ロード）されたプログラムや画像データなどを一時保持するＲＡＭ（Random Access Memory）２０３と、当該装置の電源がオフになっている間も動作条件データなどを記憶しておくための書き換え可能な不揮発性メモリ（以下、「NVRAM：Non Volatile RAM」という。）２０４と、画像データに対する各種信号処理、並び替えなどを行う画像処理やその他装置全体を制御するための入出力信号を処理するＡＳＩＣ（Application Specific Integrated Circuit）２０５とを備えている。
【００３１】
また、制御部２００は、ホスト側（図示していないが、例えば、印刷データを送信するPC（Personal Computer）など。）との各種データや信号の送受信を行うためのホストＩ／Ｆ２０６（例えば、ホストと当該装置がネットワークで接続されている場合にはネットワークＩ／Ｆとである。）と、記録ヘッド２０９を駆動制御するためのデータ転送手段、駆動波形を生成する駆動波形生成手段を含む印刷制御部２０７と、キャリッジ１１側に設けた記録ヘッド２０９を駆動するためのヘッドドライバ（ドライバＩＣ）２０８と、主走査モータ１２及び副走査モータ１４を駆動するためのモータ駆動部２１０と、帯電ローラ２１２にＡＣバイアスを供給するＡＣバイアス供給部２１１と、エンコーダセンサ１３及び１６からの各検出信号やドット形成位置のズレを来たす要因としての環境温度を検出する温度センサ２１５などの各種センサからの検出信号を入力するためのＩ／Ｏ２１３などを備えている。更に、制御部２００には、当該装置が有する機能を制御するための各種動作条件情報などの入力及び当該装置の動作状態情報などを表示するためのユーザインタフェース（UI）機能を有する操作パネル２１４が接続されている。
【００３２】
＜画像形成機能の動作制御について＞
ここからは、本実施形態に係る画像形成装置５００が有する画像形成機能を制御部２００によってどのように動作制御するのかについて説明を行う。
【００３３】
制御部２００は、例えば、PCなどの情報処理装置、イメージスキャナなどの画像読み取り装置、デジタルカメラなどの画像撮像装置などのホスト側から、当該装置に接続されたＵＳＢ（Universal Serial Bus）ケーブル又はネットワークケーブルを経由し、ホストＩ／Ｆ２０６を介して画像データを受信する。
【００３４】
制御部２００は、ＣＰＵ２０１によって、ホストＩ／Ｆ２０６の受信バッファ内の画像データをＲＡＭ２０３に展開（ロード）して所定の解析を行い、ＡＳＩＣ２０５にて必要な画像処理やデータの並び替え処理などを行う。その後、制御部２００は、ＣＰＵ２０１によって、所定の画像処理を行った画像データを印刷制御部２０７に転送する。なお、画像出力するためのドットパターンデータの生成は後述するようにホスト側のプリンタドライバで行っている。
【００３５】
制御部２００は、印刷制御部２０７によって、画像データをシリアルデータでキャリッジ１１のヘッドドライバ２０８に転送するとともに、画像データの転送及び転送の確定などに必要な転送クロック、ラッチ信号、及び滴制御信号（マスク信号）などをキャリッジ１１のヘッドドライバ２０８に出力する。また、制御部２００は、ＲＯＭ２０３に格納されている駆動信号のパターンデータをＤ／Ａ変換するＤ／Ａ変換器、電圧増幅器、及び電流増幅器などで構成される駆動波形生成手段やキャリッジ１１のヘッドドライバ２０８に与える駆動波形選択手段を備える印刷制御部２０７によって、１つの駆動パルス（駆動信号）或いは複数の駆動パルス（駆動信号）で構成される駆動波形（共通駆動波形）を生成してキャリッジ１１のヘッドドライバ２０８に出力する。
【００３６】
キャリッジ１１は、ヘッドドライバ２０８によって、シリアルデータとして入力された記録ヘッド２０９の１行分に相当する画像データに基づいて、制御部２００の印刷制御部２０７から与えられる駆動波形（共通駆動波形）を構成する駆動信号を、選択的に記録ヘッド２０９のインク滴を吐出させるエネルギーを発生する駆動素子（図示していないが、例えば圧電素子。）に対して印加することで記録ヘッド２０９を駆動する。このとき、駆動波形（共通駆動波形）を構成する駆動パルス（駆動信号）を選択することによって、記録液の付着量を調整することができ、例えば、大滴（大ドット）、中滴（中ドット）、及び小滴（小ドット）など、ドットサイズの大きさが異なるドットをそれぞれ形成することができる。
【００３７】
また、制御部２００は、ＣＰＵ２０１によって、リニアエンコーダを構成するエンコーダセンサ１３からの検出パルスをサンプリングして得られる速度検出値及び位置検出値、並びに予めＮＶＲＡＭ２０４などのような不揮発性の記憶装置に記憶しておいた速度・位置プロファイルから得られる速度目標値及び位置目標値とに基づいて、主走査モータ１２に対する駆動出力値（制御値）を算出し、モータ駆動部２１０を介して主走査モータ１２を駆動する。同様に、ロータリエンコーダを構成するエンコーダセンサ１６からの検出パルスをサンプリングして得られる速度検出値及び位置検出値、並びに予め記憶しておいた速度・位置プロファイルから得られる速度目標値及び位置目標値とに基づいて副走査モータ１４に対する駆動出力値（制御値）を算出し、モータ駆動部２１０を介して副走査モータ１４を駆動する。
【００３８】
上記に説明を行った動作制御は、ＮＶＲＡＭ２０４からＲＡＭ２０３に展開（ロード）された制御プログラムが、ＣＰＵ２０１によって実行されることによって実現される。
【００３９】
＜印刷制御部及びヘッドドライバとの動作制御について＞
ここからは、印刷制御部２０７及びヘッドドライバ２０８との動作制御について図２を用いて詳細に説明する。図２は、本発明の第１の実施形態に係る画像形成装置５００が有する印刷制御部２０７及びヘッドドライバ２０８との動作制御の一例を示す図である。
【００４０】
印刷制御部２０７は、１印刷周期内に複数の駆動パルス（駆動信号）で構成される駆動波形（共通駆動波形）を生成して出力する駆動波形生成部（駆動波形生成手段）３０１と、印刷画像に応じた２ビットの画像データ（階調信号０及び１）、クロック信号、ラッチ信号（LAT）、及び滴制御信号Ｍ０〜Ｍ３とを出力するデータ転送部３０２とを備えている。
【００４１】
なお、滴制御信号は、ヘッドドライバ２０８の後述するスイッチ手段であるアナログスイッチ３１５の開閉を滴ごとに指示する２ビットの信号であり、駆動波形（共通駆動波形）の印刷周期にあわせて選択すべき波形でＨレベル（ON）に状態遷移し、選択しないときにはＬレベル（OFF）に状態遷移する。
【００４２】
ヘッドドライバ２０８は、データ転送部３０２からの転送クロック（シフトクロック）及びシリアル画像データ（階調データ：２ビット／ＣＨ）を入力するシフトレジスタ３１１と、シフトレジスタ３１１の各レジスト値をラッチ信号によってラッチするためのラッチ回路３１２と、階調データと滴制御信号Ｍ０〜Ｍ３をデコードして結果を出力するデコーダ３１３と、デコーダ３１３のロジックレベル電圧信号をアナログスイッチ３１５が動作可能なレベルへとレベル変換するレベルシフタ３１４と、レベルシフタ３１４を介して与えられるデコーダ３１３の出力でオン／オフ（開閉）されるアナログスイッチ３１５とを備えている。
【００４３】
アナログスイッチ３１５は、記録ヘッド２０９のインク滴を吐出させるエネルギーを発生する駆動素子である圧電素子２０９aの選択電極（個別電極）に接続され、駆動波形生成部３０１からの駆動波形（共通起動波形）が入力される。従って、シリアル転送された画像データ（階調データ）と滴制御信号Ｍ０〜Ｍ３をデコーダ３１３でデコードした結果に応じてアナログスイッチ３１５がオンにすることにより、駆動波形（共通駆動波形）を構成する所要の駆動信号（駆動パルス）が通過して（選択されて）圧電素子２０９aに印加される。
【００４４】
＜インクを吐出するときの駆動について＞
次に、駆動波形（駆動パルス）の一例について図３及び図４を参照して説明する。図３及び図４は、本発明の第１の実施形態に係るインクを吐出するときの駆動波形の一例を示す図である。
【００４５】
駆動波形生成部３０１からは１印刷周期（１駆動周期）内に、図３に示すように、基準電位Ｖｅから立ち下がる波形要素と、立下り後の状態から立ち上がる波形要素などで構成される、８個の駆動パルス（駆動信号）Ｐ１〜Ｐ８からなる駆動波形（共通起動波形）を生成して出力する。一方、データ転送部３０２からの滴制御信号Ｍ０〜Ｍ３によって使用する駆動パルス（駆動信号）を選択する。
【００４６】
ここで、駆動パルス（駆動信号）の電位Ｖが基準電位Ｖｅから立ち下がる波形要素は、圧電素子２０９aが収縮して加圧液室（非図示）の容積が膨張する引き込み波形要素である。また、立下り後の状態から立ち上がる波形要素は、圧電素子２０９aが伸長して加圧液室（非図示）の容積が収縮する加圧波形要素である。
【００４７】
そして、データ転送部３０２からの滴制御信号Ｍ０〜Ｍ３によって、小滴（小ドット）を形成するときには、図４（ａ）に示すように駆動パルス（駆動信号）Ｐ１を選択し、中滴（中ドット）を形成するときには、図４（ｂ）に示すように駆動パルス（駆動信号）Ｐ４〜Ｐ６を選択し、大滴（大ドット）を形成するときには、図４（ｃ）に示すように駆動パルス（駆動信号）Ｐ２〜Ｐ８を選択し、微駆動の（滴吐出を伴わないでメニスカスを振動させる）ときには図４（ｄ）に示すように駆動パルス（駆動信号）Ｐ２を選択して、それぞれ記録ヘッド２０９の圧電素子２０９aに印加させる。
【００４８】
このように、本実施形態に係る画像形成装置５００は、印刷画像に応じて、インク液室内のインクに所定の圧力を加えることによりインクの付着量を制御し、さまざまなドットサイズのインク滴をノズルから飛翔させ、紙やフィルムなどに付着させて画像を形成する。
【００４９】
＜画像印刷システムについて＞
次に、本実施形態に係る画像形成装置５００によって印刷画像を出力するための画像印刷システムについて図５用いて説明する。図５は、本発明の第１の実施形態に係る画像印刷システムの構成例を示す図である。
【００５０】
画像印刷システム（画像形成システム）は、例えば、ＰＣなどからなる１又は複数台の画像処理装置４００と画像形成装置５００とが、ホストＩ／Ｆ４０７及び２０６を介してＵＳＢケーブル又はネットワークケーブルなどで接続され構成されている。
【００５１】
＜＜画像処理装置のハードウェア構成について＞＞
図６は、本発明の第１の実施形態に係る画像処理装置４００のハードウェア構成の一例を示す図である。
【００５２】
本実施形態に係る画像処理装置４００は、図６に示すように、当該装置全体の制御を司るＣＰＵ４０１と、ＣＰＵ４０１が実行するプログラムとその他の固定データを格納するＲＯＭ４０２と、ＣＰＵ４０１により展開（ロード）されたプログラムなどを一時保持するＲＡＭ４０３と、ハードディスクドライブ（HDD：Hird Disk Draive）などの不揮発性の記憶装置４０６と、マウスやキーボードなどの入力装置４０４と、ＬＣＤ（Liquid Crystal Display）やＣＲＴ（Cathode Ray Tube）などのモニタ４０５と、図示していないが、光ディスクなどの記録媒体を読み取る記録媒体読取装置と、本実施形態に係る画像形成装置５００などの外部機器と通信を行なうホストＩ／Ｆ４０７とが、バスラインに接続され構成されている。
【００５３】
画像処理装置４００の記憶装置４０６には、当該装置を制御するための基本ソフトウェアであるＯＳ（Operating System）や本実施形態に係る画像処理プログラムなどのソフトウェアが記憶されている。
【００５４】
本実施形態に係る画像処理プログラムは、例えば、ＣＤ（Compact Disc）やＤＶＤ（Digital Versatile Disk）などの記録媒体やインターネットなどのネットワークからダウンロードするなどして、記憶装置４０６にインストールしたものである。
【００５５】
このように方法によって画像処理プログラムがインストールされた画像処理装置４００では、記憶装置４０６からＲＡＭ４０２に展開（ロード）された画像処理プログラムをＣＰＵ４０１が実行することによって、次に説明する画像処理を実現している。なお、この画像処理プログラムは、プリンタドライバとして機能するものであり、所定のＯＳ上で動作するプログラムであったり、特定のアプリケーションソフトウェアの一部をなすプログラム（プラグイン）であってもよい。
【００５６】
＜＜画像印刷システムの画像処理について＞＞
では、本実施形態に係る画像処理装置４００にインストールされた画像処理プログラムによって実現される画像処理について説明する。
【００５７】
本実施形態に係る画像処理プログラムは、アプリケーションソフトウェアなどから与えられた画像データをモニタ表示用の色空間から画像形成装置５００用の色空間への変換（ＲＧＢ表色系→ＣＭＹ表色系）を行うＣＭＭ（Color Management Module）処理部と、ＣＭＹの値から黒生成／下色除去を行うＢＧ／ＵＣＲ（black generation/ Under Color Removal）処理部と、画像形成制御信号となるＣＭＹＫ信号に対し画像形成装置５００が画像形成できる色再現材料の最大総量値に応じてＣＭＹＫ信号を補正する総量規制部と、画像形成装置５００の特性や利用者の嗜好を反映した入出力補正を行うγ補正部と、画像形成装置５００の解像度に合わせて拡大処理を行うズーミング（Zooming）処理や画像データを画像形成装置５００が形成するドットのパターン配置に置き換える多値・少値マトリクスを含む中間調処理部（多値・少値マトリクス）と、中間調処理で得られた印刷画像であるドットパターンデータを各スキャンのデータに分割し、更に用紙へ画像形成を行う各ノズル位置に合わせてデータを展開するラスタライジング部とから機能構成されており、ラスタライジング部からの出力を画像形成装置５００に送信することで印刷を行う。
【００５８】
また、上記の画像処理のうち、次に説明するように一部を画像形成装置５００側で実行することもできる。
【００５９】
このような構成とした場合の画像処理装置４００では、上記に説明を行った機能のうち、画像処理プログラムによって、ＣＭＭ処理部、ＢＧ／ＵＣＲ処理部、総量規制部、及びγ補正部までの処理を行って生成した画像データを画像形成装置５００に送信する。
【００６０】
一方、画像形成装置５００は、画像処理装置４００から受信した画像データに対して、制御部２００が備える画像処理プログラムによって、ズーミング（Zooming）部、中間調処理部（多値・少値マトリクス）、及びラスタライジング部までの処理を行い、ラスタライジング部からの出力を印刷制御部２０７に渡す。
【００６１】
このように本実施形態に係る画像処理方法は、上記に挙げた２つの構成であっても好適に適用することができる。本実施形態では、画像処理装置４００にインストールされた画像処理プログラムがラスタライジング部までの処理を行い、画像形成装置５００側で、ラスタライジング部からの出力を用紙へ画像形成する構成とする。すなわち、画像処理装置４００で実行されるアプリケーションソフトウェアなどからのプリント命令は、画像処理装置４００にインストールされた本実施形態に係る画像処理プログラムによって画像処理されて画像形成装置５００が出力可能な多値のドットパターンデータ（印刷画像）を生成し、生成した印刷画像がラスタライズされて画像形成装置５００に送信され、送信されたラスタデータ（ビットマップデータ）が画像形成装置５００で印刷される。
【００６２】
＜＜画像処理装置における画像・図形・文字の画像形成動作について＞＞
本実施形態に係る画像処理装置４００では、アプリケーションソフトウェアからの画像（イメージ）描画、図形（グラフィック）描画、文字描画の画像形成命令（例えば、画像形成するときの線の描画位置、太さ、形などを記述したものや、画像形成する文字の書体、位置、大きさなどを記述したもの。）は、ＲＡＭ４０３の所定の記憶領域に確保された描画データメモリに一時的に保存される。なお、これらの命令は、特定のページ記述言語（PDL：Page Description Language）で記述されたものである。
【００６３】
そして、描画データメモリに記憶された命令は、ラスタライジング部であるラスタライザによって解釈され、図形（グラフィック）の画像形成命令であれば、指定された位置や太さなどに応じた画像形成ドットパターンに変換される。また、画像（イメージ）の画像形成命令であれば、そのまま画像形成ドットパターンに変換される。
【００６４】
その後、これらの画像形成ドットパターンに対して画像処理を行い、ＲＡＭ４０３の所定の記憶領域に確保されたラスタデータメモリに記憶する。このとき、画像処理装置４００は、マトリクス状の直交格子を基本的な画像形成位置として画像形成ドットパターンデータにラスタライズする。
【００６５】
また、このときに行われる画像処理としては、例えば、再現色を調整するためのＣＭＭ処理、γ補正処理、及びディザ法や誤差拡散法などの中間調処理、更にはＢＧ／ＵＣＲ処理及び総量規制処理などが行われる。
【００６６】
その結果、ラスタデータメモリに記憶された画像形成ドットパターンデータは、インタフェースを経由して画像形成装置５００へ送信される。
【００６７】
＜＜文字のビットマップデータ（ドットフォント）形成機能について＞＞
ここからは、これまでに説明した画像処理のうち、文字の画像形成ドットパターンデータであるビットマップデータ（ドットフォント）を形成する機能について図７を用いて詳細に説明する。
【００６８】
図７は、本発明の第１の実施形態に係る文字のビットマップデータ（ドットフォント）形成機能の機能構成の一例を示す図である。本実施形態では、この機能の中で、「文字画像のジャギー補正」を行っている。
【００６９】
本実施形態に係る文字のビットマップデータ（ドットフォント）形成機能は、描画データメモリ３２と、ラスタライザ３３と、ラスタデータメモリ３４と、フォントプロセッサ３５と、フォントデータメモリ３６とから構成されている。
【００７０】
本実施形態に係る画像処理装置４００では、まず、アプリケーションソフトウェア３１から転送される画像・図形・文字の画像形成命令（例えば、線の位置・太さ・形や文字の位置・大きさ・書体など。）を、描画データメモリ３２に一時保持する。
【００７１】
次に、フォントプロセッサ３５は、ＲＡＭ４０３の所定の記憶領域に確保された描画データメモリ３２に記憶された画像形成命令を解釈し、文字の画像形成命令であれば、画像処理装置４００にインストールされているフォントアウトラインデータから対応する文字の輪郭情報を参照し、指定された位置や大きさなどに応じた画像形成ドットパターンに変換し、画像形成装置５００で画像形成可能なラスタデータを生成する（文字のドットパターンへの展開をする）。このラスタデータは、ラスタデータメモリ３４に一時保持され、インタフェースを介して画像形成装置５００に出力される。
【００７２】
また、フォントプロセッサ３５は、文字をビットマップデータ（ドットフォント）に展開するドット展開部３５aと、文字の輪郭部に発生した階段状の変化（ジャギー）を補正するための補正ドットを画像形成するためのジャギー補正部３５bとから構成されている。
【００７３】
上記に示した本実施形態の例では、文字のドットパターンへの展開をラスタライザ３３と独立したフォントプロセッサ３５で行う構成としたが、フォントプロセッサ３５とラスタライザ３３とを統合することも可能である。
【００７４】
また、ラスタライザ３３及びフォントプロセッサ３５は、例えば、画像処理プログラムであるプリンタドライバなどのソフトウェアとして実現されるのが一般的であるが、ラスタライザ３３及びフォントプロセッサ３５の一方又は両方をハードウェアとして実現することも可能である。また、フォントデータメモリ３６は、描画データメモリ３２と同一の物理メモリであっても、また独立した物理メモリであってもよい。
【００７５】
＜＜１文字を処理するときの処理手順について＞＞
次に、上記に説明を行ったフォントプロセッサ３５による文字に対する処理について図８を用いて説明を行う。図８は、本発明の第１の実施形態に係る１文字を処理するときの処理手順の一例を示すフローチャートである。
【００７６】
本実施形態に係る画像形成装置４００は、処理対象となった文字に対して、指定された大きさのフォントデータがフォントデータメモリ３６上に展開（ロード）されているか否かを判定する（ステップＳ１）。
【００７７】
画像処理装置４００は、フォントデータが展開（ロード）されていないと判定された場合（ステップＳ１がNOの場合）、ドット展開部３５aによってフォントデータメモリ３６への処理対象となっている文字のフォントデータが展開（ロード）される（ステップＳ２）。
【００７８】
また、フォントデータが展開（ロード）されていると判定された場合（ステップＳ１がYESの場合）、ジャギー補正後のフォントデータが展開（ロード）されているため、処理を終了する。
【００７９】
次に、画像処理装置４００は、ジャギー補正部３５bによって、フォントデータメモリ３６に展開（ロード）されたフォントデータに対してジャギー補正処理を行う（ステップＳ３）。
【００８０】
＜＜ジャギー補正処理について＞＞
図８に示す本実施形態に係るジャギー補正処理（ステップＳ３）について図９を用いて具体的に説明する。図９は、本発明の第１の実施形態に係るジャギー補正前と補正後のドット配列の一例を示す図である。
【００８１】
例えば、輪郭部にジャギーが発生した文字画像の一例を図９（a）に示す。図９（a）に示されるように、文字の中でも曲線などの斜線部では、文字の輪郭を形成するドット列が階段状に変化するため、その継ぎ目（変化点）で線の輪郭が不連続となり、いわゆるジャギーが発生する。
【００８２】
本実施形態では、このようなジャギーを視覚的に目立たなくする（軽減する）ため、図８のジャギー補正（ステップＳ３）によって、図９（b）に示すような補正を行う。図９（b）に示す例は、大滴（大ドット）で形成された文字画像に対して、文字画像の輪郭部に隣接する空白部へ小滴（小ドット）を付加することによってジャギー補正を行っている。
【００８３】
図９（b）では、補正ドットを小滴（小ドット）とした例を示したが、本実施形態では、別の補正方法として、空白部への中滴（中ドット）の付加や輪郭部の大滴（大ドット）を小滴（小ドット）又は中滴（中ドット）へ置換することも可能である。また、図９（b）に示すように、空白部に位置する画素の階調値を、小ドット（小滴）を生成する階調値に置換し、その後、中間調処理を行うことでジャギー補正を行うことも可能である。
【００８４】
このように、本実施形態では、文字画像の輪郭部に発生したジャギーに対して、適切なサイズの補正ドットにより補正することで、滑らかな輪郭を形成することができる。また、本実施形態に係る画像形成装置５００は、インクジェット記録方式を採用していることから、補正ドットであるインク滴が用紙に着弾した後に広がる特性があることから、インクの付着量（ドットサイズ）を適切に調整することによって、輪郭部はより滑らかになる。
【００８５】
次に、図８及び図９に示す本実施形態に係るジャギー補正処理（ステップＳ３）の処理手順について図１０及び図１１を用いて具体的に説明する。
図１０は、本発明の第１の実施形態に係るジャギー補正（パターンマッチングによる補正）の処理手順の一例を示す図である。また、図１１は、本発明の第１の実施形態に係るジャギー補正（補正ドット付加方式）の動作例を示す図である。
【００８６】
図１０には、補正ドットに小ドット（小滴）のみ用いるジャギー補正の処理手順の一例が示されている。
【００８７】
本実施形態に係るジャギー補正処理では、小ドット（小滴）の付加又は置換を行うべき画素位置を認識するために、予め用意しておいたジャギーを検出する複数のジャギー検出パターンによるパターンマッチングを用いる。
【００８８】
パターンマッチングに用いるジャギー検出パターンは、ｍ×ｎサイズのウィンドウが用いられる。
【００８９】
以下に説明するジャギー補正の処理手順は、図１１（中段）のドット配列に示すようなジャギーに対して補正を行う処理手順であり、このとき用いるジャギー検出パターンのウィンドウは、図１１（上段）に示すｍ＝３及びｎ＝３のウィンドウを用いるものとし、ジャギー検出時の補正ドットのドットサイズ（インクの付着量）を、予め決めておいた小ドット（小滴）として説明する。
【００９０】
本実施形態に係る画像処理装置４００は、ジャギー補正部３５bによって、ドット展開部３５aによりフォントデータメモリ３６に展開（ロード）されたフォントデータの先頭画素を注目画素として、ジャギー検出を開始する（ステップＳ１０１）。
【００９１】
画像処理装置４００は、展開（ロード）されたフォントデータから、注目画素を中心とした３×３のウィンドウサイズに対応した部分データ（フォントデータ内の一部のビットマップデータ）を取得し（ステップＳ１０２）、予め記憶装置４０６に記憶しておいた複数のジャギー検出パターンとのパターンマッチングを行う（ステップＳ１０３）。
【００９２】
画像処理装置４００は、取得した部分データ（フォントデータ内の一部のビットマップデータ）とジャギー検出パターンとがマッチングするか否かを判定する（ステップＳ１０４）。
【００９３】
画像処理装置４００は、マッチングした場合（ステップＳ１０４がYESの場合）、ジャギー検出パターンに含まれる補正ドットのドットサイズ（インクの付着量）を示すデータに基づいて、注目画素を小ドット（小滴）に置換（空白部の注目画素に小ドット（小滴）を付加）、又は、注目画素の階調値を、小ドット（小滴）を形成する所定の階調値に置換する（ステップＳ１０５）。
【００９４】
画像形成装置４００は、その後、注目画素を別の画素位置に移動し（ステップＳ１０６）、ステップＳ１０２の処置手順へ移行してから再びステップＳ１０２〜ステップＳ１０６までの処理を行う。
【００９５】
また、画像形成装置４００は、マッチングしなかった場合（ステップＳ１０４がNOの場合）、ステップＳ１０５の処理手順をスキップして、ステップＳ１０６の処理手順へ移行する。
【００９６】
画像形成装置４００は、上記の処理手順を、展開（ロード）されたフォントデータの全画素を対象に行い、全ての画素への処理が終了するまで（ステップＳ１０７がYESの場合）繰り返される。
【００９７】
このように、本実施形態に係る画像処理装置４００は、上記のジャギー補正の処理手順によって、例えば、図１１（中段）のドット配置に示すような文字の輪郭部であった場合に、図１１（上段）に示すジャギー検出パターンとマッチングするため、図１１（下段）に示すように、注目画素を小ドット（小滴）に置換（空白部の注目画素に小ドット（小滴）を付加）、又は、注目画素の階調値を、小ドット（小滴）を生成する所定の階調値に置換する。
【００９８】
図１２は、本発明の第１の実施形態に係る注目画素の階調値変換情報を示す図である。
本実施形態に係るジャギー補正では、注目画素の階調値を、小・中・大ドット（小滴・中滴・大滴）のいずれか１つを生成する所定の階調値に置換する場合に、例えば、図１２に示すような、補正ドットのドットサイズ（インクの付着量）と階調値とを関連付けた階調値変換データを用いて行っている。階調値変換データのデータ形式は、各画素を複数ビットで表現し、例えば、図１２に示すように１から９０までの階調値は小ドット（小滴）に関連付けておき、９１から１８０までの階調値は中ドット（中滴）に関連付けておき、１８１から２５５までの階調値は大ドット（大滴）に関連付けておく。
【００９９】
このように、本実施形態に係る画像処理装置４００は、図１２に示すような階調値変換データと、補正ドットのドットサイズ（インクの付着量）を示すデータに基づいて、ジャギー補正の対象となった注目画素の階調値を、中間調処理後の大・中・小ドット（大滴・中滴・小滴）のうちジャギー補正に適切なドットサイズ（インクの付着量）の補正ドットを形成するような階調値に置き換えることができる。
【０１００】
＜両面印刷時のジャギー補正の機能構成について＞
これまでに説明を行ったように、本実施形態に係るジャギー補正機能は、フォントプロセス３５が備えるジャギー補正部３５bによって実現される。ここからは、ジャギー補正部３５bによって行う、両面印刷時のジャギー補正について図１３を用いて説明を行う。図１３は、本発明の第１の実施形態に係る両面印刷時のジャギー補正機能（補正ドット付加方式）の機能構成の一例を示す図である。
【０１０１】
本実施形態に係るジャギー補正部３５bは、ジャギー補正ドット形成部４１及び合成部４２とから構成されている。
【０１０２】
文書データなどによく含まれていることから画像形成装置５００において印刷する頻度が高い黒文字は、明度が低いため両面印刷を行うときに印字濃度の調整を行わないと、裏写りしてしまう。そこで、両面印刷では、裏写りを抑制するため、用紙に形成するドットの濃度を片面印刷に比べて薄くして印刷する。
【０１０３】
しかし、このように印字濃度調整した黒文字に対して通常のジャギー補正処理を行った場合、濃度調整されていない補正ドットと濃度調整されたドットフォント（ビットマップデータ）との間で印字濃度の差が出てしまい、印字品質を劣化させてしまう結果となる。そこで、本実施形態では、両面印刷時の印字濃度調整に対応したジャギー補正を行う。
【０１０４】
ジャギー補正ドット形成部４１は、黒文字の文字画像５１に、両面用ジャギー補正パターン５２を適用して両面用ジャギー補正ドット５３を形成する機能（補正ドット形成手段）である。
【０１０５】
ジャギー補正ドット形成部４１は、図１０において説明したパターンマッチングにより黒文字（文字画像）５１の輪郭部に発生したジャギーを検出し、黒文字（文字画像）５１の座標空間における注目画素の位置と、両面印刷時の印字濃度調整に対応したジャギー補正を行うための補正ドットのドットサイズ（インクの付着量）が所定のデータ形式にデータ化された両面用ジャギー補正パターン５２を生成し、生成したパターンに従って、両面用ジャギー補正ドット５３を形成する。
【０１０６】
両面印刷時には、文字形成部３５c（文字形成手段）によって、裏写りを抑制するために印字濃度を調整するインク付着量制御係数５４（所定の係数）を用いて、入力された黒文字（文字画像）５１の階調値をおとし（例えば、インク付着量制御係数５４を画素の階調値に乗算する。）、印字濃度調整された文字画像に対し中間調処理を行う。
【０１０７】
このことから、両面用ジャギー補正パターン５２に含まれる両面用ジャギー補正ドット５３のドットサイズ（インクの付着量）を示すデータは、文字形成部３５cによって両面印刷時の中間調処理で調整される印字濃度を同じ濃度を再現する補正ドットのドットサイズ（インクの付着量）を示すデータが設定されている。
【０１０８】
また、ジャギー補正ドット形成部４１は、文字の色に応じた補正ドットを形成する。印字される文字の色が「黒」の場合、ブラック（Ｂｋ）インクのみで再現される「リアルブラック」や、後述するシアン（Ｃ）インク、マゼンタ（Ｍ）インク、及びイエロー（Ｙ）インクの３色とブラック（Ｂｋ）インクとから再現される「コンポジットブラック」など、画像形成装置５００が備えるインクによって、さまざまな色の組み合わせで「黒」が再現できる。
【０１０９】
そのため、ジャギー補正ドット形成部４１は、文字の色に応じて、再現する色を構成するインクの組み合わせに対応した両面用ジャギー補正パターン５２を生成する。
【０１１０】
例えば、文字の色が「コンポジットブラック」によって再現される場合には、その色を構成する、ブラック（Ｂｋ）インクのドットサイズ（インク付着量）を含む補正パターンと、シアン（Ｃ）インク、マゼンタ（Ｍ）インク、及びイエロー（Ｙ）インクの３色に共通したドットサイズ（インク付着量）を含む補正パターンとを生成する。
【０１１１】
また、文字の色を再現するときに、複数ある再現色のうち「どのインクの組み合わせにするか」については、予め設定しておいてもよく、設定用のユーザインタフェース（UI）から受け付けた利用者の設定に従う構成としてもよい。このように、黒文字を「リアルブラック」又は「コンポジットブラック」かなど、どのインクの組み合わせによって文字の色を再現するかを設定可能としておくことで、利用者の所望する印刷品質を実現することができる。
【０１１２】
ジャギー補正ドット形成部４１は、展開（ロード）されたドットフォント（ビットマップデータ）から文字の色を認識し、認識した色に基づいて生成された両面用ジャギー補正パターン５２に従って、適切な再現色による両面用ジャギー補正ドット５３を形成できる。
【０１１３】
上記の内容をまとめると、本実施形態に係るジャギー補正ドット形成部４１は、以下に示す処理手順によって両面用ジャギー補正ドット５３を形成する。
（Ａ）補正ドットの色情報を取得
ジャギー補正ドット形成部４１は、フォントデータメモリ３６に展開（ロード）されたドットフォント（ビットマップデータ）から文字の色情報を取得する。
（Ｂ）補正ドットの配置位置情報を取得
ジャギー補正ドット形成部４１は、ジャギー検出パターンを用いてパターンマッチングを行い、文字の輪郭部に発生したジャギーを検出し、検出したときの注目画素の位置を取得する。
（Ｃ）両面用ジャギー補正パターン５２を生成
ジャギー補正ドット形成部４１は、（Ａ）において取得した文字の色情報を基に、再現色に対応する両面用ジャギー補正パターン５２を生成する。このとき生成される補正パターンには、（Ｂ）において取得した注目画素の位置を基にした黒文字（文字画像）５１の座標空間における補正ドットの配置位置と、両面印刷時の印字濃度調整に対応したジャギー補正を行うための補正ドットのドットサイズ（インクの付着量）とが、所定のデータ形式で設定されている。
（Ｄ）両面用ジャギー補正ドット５３の形成
ジャギー補正ドット形成部４１は、再現色に対応する両面用ジャギー補正パターン５２に含まれる補正ドットの配置位置とドットサイズ（インクの付着量）とに基づいて、両面印刷時の印字濃度調整を同じ濃度の再現色による両面用ジャギー補正ドット５３を形成する。
【０１１４】
これまでに説明を行った両面用ジャギー補正ドット５３の形成方法では、文字の色から再現色に対応する両面用ジャギー補正パターン５２を生成し、生成された補正パターンに従って両面用ジャギー補正ドット５３を形成している。
【０１１５】
この方法以外には、再現する色の構成に対して共通して生成された１つの両面用ジャギー補正パターン５２から１つの両面用ジャギー補正ドットパターンを形成し、形成された補正ドットパターンを基に、再現色を構成する色ごとの補正ドットパターンへ変換する方法などが挙げられる。
【０１１６】
このようにして、ジャギー補正ドット形成部４１は、生成された両面用ジャギー補正パターン５２に従って形成された両面用ジャギー補正ドット５３を、補正ドットの配置位置に基づいて、ドットフォントと同じ座標空間に配置し、中間調処理を施した両面用補正ドットパターンを形成する。
【０１１７】
次に、合成部４２は、ジャギー補正ドット形成部４１により形成され、中間調処理を施した両面用ジャギー補正ドット５３を、文字形成部３５cにより形成したジャギー補正前両面黒文字５５（両面印刷時の中間調処理においてインク付着量制御係数５４（所定の係数）を用いて印字濃度調整されたドットフォント）に合成する機能（合成手段）である。
【０１１８】
合成部４２は、ジャギー補正ドット形成部４１によって形成された両面用ジャギー補正ドット５３をドットフォントと同じ座標空間に配置し、中間調処理を施した両面用補正ドットパターンを、ジャギー補正前両面黒文字５５（両面印刷時の中間調処理においてインク付着量制御係数５４（所定の係数）を用いて印字濃度調整されたドットフォント）に重畳することで合成する。その結果、本実施形態に係るジャギー補正機能は、両面印刷時に対応した両面用ジャギー補正ドット５３をジャギーが発生していた箇所に適用することができる。
【０１１９】
合成部４２は、合成後のジャギー補正後両面黒文字５６（ビットマップデータ）を、フォントデータメモリ３６に展開（ロード）する。
【０１２０】
その後、展開（ロード）されたジャギー補正後両面黒文字５６（ビットマップデータ）は、ラスタライザ３３を介してラスタデータメモリ３４に一時保持され、インタフェースを介して画像形成装置５００に出力される。
【０１２１】
また、本実施形態に係るジャギー補正部３５bでは、片面印刷時のジャギー補正と両面印刷時のジャギー補正との両方を、ジャギー補正を行うときに適用するジャギー補正パターンを切り替え可能とすることによって、共通したジャギー補正機能部３５bで実現することができる。例えば、片面印刷用と両面印刷用のジャギー補正パターンを予め用意しておき、ジャギー補正部３５bによって、要求された印刷ジョブが片面印刷か両面印刷かを判断し、その判断結果に基づいて、適用するジャギー補正パターンを切り替えるなどの方法が挙げられる。
【０１２２】
また、本実施形態に係るジャギー補正では、ジャギーを検出するときに用いるジャギー検出パターンを、ウィンドウサイズを３×３のサイズよりも大きくすることによって、水平又は垂直に近いジャギーが発生した文字の輪郭部の傾斜（階段状の変化）を検出することができ、その傾きに応じた両面用ジャギー補正ドット５３によってジャギー補正を行い、両面印刷時における印字品質を向上させることができる。
【０１２３】
ジャギー検出パターンのウィンドウサイズは、「ジャギー補正対象の範囲をどの辺りまでとするか」や「ジャギー補正にかかる処理時間が画像形成装置５００の印刷性能に悪影響を及ぼさないか」などを考慮して決定する。「ジャギー補正にかかる処理時間が画像形成装置５００の印刷性能に悪影響を及ぼさないか」については、ジャギー検出パターンのウィンドウサイズが大きくなると、パターンマッチングで利用するデータ量が増加するため、マッチングにかかる処理時間も増加することから、画像形成装置５００の印刷性能を考慮すると、そのサイズはできるだけ小さい方がよい。一方、「ジャギー補正対象の範囲をどの辺りまでとするか」については、要求される印字品質に依存するため、処理速度と文字品質との両方の要素を考慮して最適なウィンドウサイズを決定する必要がある。
【０１２４】
＜両面印刷時のジャギー補正の基本補正手順について＞
図１３を用いて説明を行った機能構成による両面印刷時のジャギー補正の基本補正手順について図１４を用いて説明する。図１４は、本発明の第１の実施形態に係る両面印刷時のジャギー補正（補正ドット付加方式）の補正手順の一例を示す図である。また、図１４では、例えば、黒文字が「リアルブラック」によって再現される場合を例に説明する。
【０１２５】
本実施形態に係る画像処理装置４００は、文字形成部３５cによって、ドット展開部３５aによりフォントデータメモリ３６に展開（ロード）された黒文字（文字画像）５１に対して、インク付着量制御係数５４を用いて印字濃度調整し、調整された文字画像に中間調処理を行い、両面印刷時の印字濃度調整後のジャギー補正前両面黒文字５５（ドットフォント）を形成する（ステップＳ２０１及びステップＳ２０２）。
【０１２６】
一方、画像処理装置４００は、ジャギー補正部３５bが有するジャギー補正ドット形成部４１によって、ドット展開部３５aによりフォントデータメモリ３６に展開（ロード）された黒文字（文字画像）５１に対して、ジャギー検出パターンを参照してパターンマッチングを行い、文字の輪郭部に発生したジャギーを検出する。次にジャギー補正ドット形成部４１は、ジャギーが検出されたときに、黒文字（文字画像）５１から取得した文字の色を基に、リアルブラックを構成するブラック（Ｂｋ）インクの両面用ジャギー補正パターン５２を生成する。パターンマッチングが終了した後に、ジャギー補正ドット形成部４１は、生成された両面用ジャギー補正パターン５２を参照する。（ステップＳ２０１及びステップＳ２０３）。
【０１２７】
画像処理装置４００は、ジャギー補正部３５bが有するジャギー補正ドット形成部４１によって、参照した両面用ジャギー補正パターン５２に設定された、ジャギー検出時の注目画素の位置を基にした補正ドットの配置位置と、両面印刷時のインク付着量制御係数５４（所定の係数）を用いた中間調処理によって印字濃度調整された階調を再現する両面用ジャギー補正ドット５３のドットサイズ（インクの付着量）とに基づいて、両面用ジャギー補正ドット５３からなる両面印刷時の印字濃度調整後の両面用ジャギー補正ドットパターンを形成する（ステップＳ２０４）。
【０１２８】
画像処理装置４００は、ジャギー補正部３５bが有する合成部４２によって、ステップＳ２０２の処理手順によって形成された両面印刷時の印字濃度調整後のジャギー補正前両面黒文字５５（ドットフォント）と、ステップＳ２０４の処理手順によって形成された両面印刷時の印字濃度調整後の両面用ジャギー補正ドットパターンとを重畳して合成し、ジャギー補正後両面黒文字５６（ビットマップデータ）を形成し、フォントデータメモリ３６に展開（ロード）する（ステップＳ２０５）。
【０１２９】
その結果、画像処理装置４００は、ステップＳ２０５の処理手順によって展開（ロード）されたジャギー補正後両面黒文字５６（ビットマップデータ）を、ラスタライザ３３を介してラスタデータメモリ３４に一時保持され、インタフェースを介して画像形成装置５００に出力される。
【０１３０】
次に、図１３を用いて説明を行ったジャギー補正ドット形成部４１において、「黒」の再現色である「リアルブラック」と「コンポジットブラック」との違いによって、異なる両面用ジャギー補正パターン５２を適用して行うジャギー補正の処理手順について、図１５〜１７を用いて説明する。
【０１３１】
＜コンポジットブラックを再現する両面印刷時のジャギー補正について＞
まず、擬似的な黒を再現するコンポジットブラックについて図１５を用いて説明する。図１５は、本発明の第１の実施形態に係るコンポジットブラックについて説明する図である。
【０１３２】
一般的なインクジェット記録方式では、シアン（Ｃ）、マゼンタ（Ｍ）、イエロー（Ｙ）、ブラック（Ｂｋ）インクの４色、また、より印刷品質を向上させる場合には、フォトインクと呼ばれる濃度の低いインク（例えば、フォトシアン（ＰＣ）インクやフォトマゼンタ（ＰＭ）インクなど。）を併用した６〜７色によって色再現が行われる。
【０１３３】
その中で、「黒」の再現には基本的にブラック（Ｂｋ）インクが使用されるが、図１５に示すように、シアン（Ｃ）、マゼンタ（Ｍ）、及びイエロー（Ｙ）インクの３色それぞれによって形成された各色のドット（以下、「３色混合ドット」という。）と、更にブラック（Ｂｋ）インクによって形成されたドットとを組み合わせることによって、擬似的に黒を再現することができる。このようにして４色混合で再現された色が「コンポジットブラック」である。
【０１３４】
＜＜両面印刷時のジャギー補正の補正手順について（コンポジットブラックの場合）＞＞
図１５を用いて説明を行った「コンポジットブラック」を再現色とする両面印刷時のジャギー補正の補正手順について図１６及び図１７を用いて説明を行う。図１６は、本発明の第１の実施形態に係る「コンポジットブラック」を再現する両面印刷時のドット付加によるジャギー補正の補正手順（その１）を示す図である。
【０１３５】
本実施形態に係る画像処理装置４００は、文字形成部３５cによって、ドット展開部３５aによりフォントデータメモリ３６に展開（ロード）されたコンポジットブラック変換後の黒文字（文字画像）５１に対して、インク付着量制御係数５４を用いて印字濃度調整し、調整された文字画像に中間調処理を行い、両面印刷時の印字濃度調整後のジャギー補正前両面黒文字５５（ドットフォント）を形成する（ステップＳ３０１及びステップＳ３０２）。
【０１３６】
一方、画像処理装置４００は、ジャギー補正部３５bが有するジャギー補正ドット形成部４１によって、ドット展開部３５aによりフォントデータメモリ３６に展開（ロード）された黒文字（文字画像）５１に対して、ジャギー検出パターンを参照してパターンマッチングを行い、文字の輪郭部に発生したジャギーを検出する。次にジャギー補正ドット形成部４１は、ジャギーが検出されたときに、黒文字（文字画像）５１から取得した文字の色を基に、コンポジットブラックを構成するブラック（Ｂｋ）と、シアン（Ｃ）、マゼンタ（Ｍ）、及びイエロー（Ｙ）の３色とに共通した両面用ジャギー補正パターン５２を生成する。パターンマッチングが終了した後に、ジャギー補正ドット形成部４１は、生成された両面用ジャギー補正パターン５２を参照する。（ステップＳ３０１及びステップＳ３０３）。
【０１３７】
画像処理装置４００は、ジャギー補正部３５bが有するジャギー補正ドット形成部４１によって、参照した両面用ジャギー補正パターン５２に設定された、ジャギー検出時の注目画素の位置を基にした補正ドットの配置位置と、両面印刷時のインク付着量制御係数５４（所定の係数）を用いた中間調処理によって印字濃度調整された階調を再現する両面用ジャギー補正ドット５３のドットサイズ（インクの付着量）とに基づいて、両面用ジャギー補正ドット５３からなる両面印刷時の印字濃度調整後の両面用ジャギー補正ドットパターンを形成する（ステップＳ３０４）。
【０１３８】
画像処理装置４００は、ジャギー補正部２５bが有するジャギー補正ドット形成部４１によって、コンポジットブラックの再現色を基に、形成された両面印刷時の印字濃度調整後の両面用ジャギー補正ドット５３をコンポジットブラックに変換、すなわち、コンポジットブラックを構成する４色共通の補正ドットを、ブラック（Ｂｋ）インクの補正ドットと、シアン（Ｃ）、マゼンタ（Ｍ）、及びイエロー（Ｙ）インクの３色共通の補正ドットとに変換する（ステップＳ３０５）。ステップＳ３０５の処理手順で行う、両面用ジャギー補正ドット５３をコンポジットブラックに変換する処理は、例えば、両面用ジャギー補正ドット５３が、大・中・小ドット（大滴・中滴・小滴）の３段階のドットサイズ（インクの付着量）で構成される場合、以下のように変換する。
［両面用ジャギー補正ドット５３の大ドット（大滴）の場合］
ブラック（Ｂｋ）インクの中ドット（中滴）と、シアン（Ｃ）インク、マゼンタ（Ｍ）インク、及びイエロー（Ｙ）インクの小ドット（小滴）との大きさの異なった補正ドットで構成するように変換する。
［両面用ジャギー補正ドット５３の中ドット（中滴）の場合］
ブラック（Ｂｋ）インクの小ドット（小滴）と、シアン（Ｃ）インク、マゼンタ（Ｍ）インク、及びイエロー（Ｙ）インクの小ドット（小滴）との大きさの同じ補正ドットで構成するように変換する。
［両面用ジャギー補正ドット５３の小ドット（小滴）の場合］
シアン（Ｃ）、マゼンタ（Ｍ）、及びイエロー（Ｙ）インクの小ドット（小滴）の３色混合の補正ドットのみで構成するように変換する。
【０１３９】
画像処理装置４００は、例えば、上記に挙げた変換方法によって、両面用ジャギー補正ドット５３をコンポジットブラックに変換後、ブラック（Ｂｋ）インクの両面用Ｂｋジャギー補正ドット５３bk及び／又はシアン（Ｃ）インク、マゼンタ（Ｍ）インク、及びイエロー（Ｙ）インクの両面用ＣＭＹジャギー補正ドット５３cmyから、それぞれの両面印刷時の印字濃度調整後の両面用ジャギー補正ドットパターンを形成する（ステップＳ３０６及びステップＳ３０７）。
【０１４０】
画像処理装置４００は、ジャギー補正部３５bが有する合成部４２によって、ステップＳ３０２の処理手順によって形成された両面印刷時の印字濃度調整後のコンポジットブラックによるジャギー補正前両面黒文字５５（ドットフォント）と、ステップＳ３０６及びステップＳ３０７の処理手順によって形成された両面印刷時の印字濃度調整後のブラック（Ｂｋ）インクによる両面用ジャギー補正ドットパターン及び／又はシアン（Ｃ）インク、マゼンタ（Ｍ）インク、及びイエロー（Ｙ）インクによる両面用ジャギー補正ドットパターンとを重畳して合成し、コンポジットブラックを再現色とするジャギー補正後両面黒文字５６（ビットマップデータ）を形成し、フォントデータメモリ３６に展開（ロード）する（ステップＳ３０８）。
【０１４１】
その結果、画像処理装置４００は、ステップＳ３０８の処理手順によって展開（ロード）されたコンポジットブラックを再現色としたジャギー補正後両面黒文字５６（ビットマップデータ）を、ラスタライザ３３を介してラスタデータメモリ３４に一時保持され、インタフェースを介して画像形成装置５００に出力される。
【０１４２】
図１７は、本発明の第１の実施形態に係るコンポジットブラックを再現する両面印刷時のドット付加によるジャギー補正の補正手順（その２）を示す図である。
【０１４３】
本実施形態に係る画像処理装置４００は、文字形成部３５cによって、ドット展開部３５aによりフォントデータメモリ３６に展開（ロード）されたコンポジットブラック変換後の黒文字（文字画像）５１に対して、インク付着量制御係数５４を用いて印字濃度調整し、調整された文字画像に中間調処理を行い、両面印刷時の印字濃度調整後のジャギー補正前両面黒文字５５（ドットフォント）を形成する（ステップＳ４０１及びステップＳ４０２）。
【０１４４】
一方、画像処理装置４００は、ジャギー補正部３５bが有するジャギー補正ドット形成部４１によって、ドット展開部３５aによりフォントデータメモリ３６に展開（ロード）された黒文字（文字画像）５１に対して、ジャギー検出パターンを参照してパターンマッチングを行い、文字の輪郭部に発生したジャギーを検出する。次にジャギー補正ドット形成部４１は、ジャギーが検出されたときに、黒文字（文字画像）５１から取得した文字の色を基に、コンポジットブラックを構成するブラック（Ｂｋ）インクの両面用Ｂｋジャギー補正パターン５２bkと、シアン（Ｃ）、マゼンタ（Ｍ）、及びイエロー（Ｙ）インクの３色に共通した両面用ＣＭＹジャギー補正パターン５２cmyとを生成する。パターンマッチングが終了した後に、ジャギー補正ドット形成部４１は、生成された各両面用ジャギー補正パターン５２bk及び５２cmyを参照する（ステップＳ４０１、ステップＳ４０３、及びステップＳ４０５）。
【０１４５】
画像処理装置４００は、ジャギー補正部３５bが有するジャギー補正ドット形成部４１によって、参照した両面用Ｂｋジャギー補正パターン５２bkに設定された、ジャギー検出時の注目画素の位置を基にした補正ドットの配置位置と、両面印刷時のインク付着量制御係数５４（所定の係数）を用いた中間調処理によって印字濃度調整された階調を再現する両面用Ｂｋジャギー補正ドット５３bkのドットサイズ（インクの付着量）とに基づいて、両面用Ｂｋジャギー補正ドット５３bkからなる両面印刷時の印字濃度調整後の両面用ジャギー補正ドットパターンを形成する（ステップＳ４０４）。
【０１４６】
また、画像処理装置４００は、ジャギー補正部３５bが有するジャギー補正ドット形成部４１によって、参照した両面用ＣＭＹジャギー補正パターン５２cmyに設定された、ジャギー検出時の注目画素の位置を基にした補正ドットの配置位置と、両面印刷時のインク付着量制御係数５４（所定の係数）を用いた中間調処理によって印字濃度調整された階調を再現する両面用ＣＭＹジャギー補正ドット５３cmyのドットサイズ（インクの付着量）とに基づいて、両面用ＣＭＹジャギー補正ドット５３cmyからなる両面印刷時の印字濃度調整後の両面用ジャギー補正ドットパターンを形成する（ステップＳ４０６）。
【０１４７】
画像処理装置４００は、ジャギー補正部３５bが有する合成部４２によって、ステップＳ４０２の処理手順によって形成された両面印刷時の印字濃度調整後のコンポジットブラックによるジャギー補正前両面黒文字５５（ドットフォント）と、ステップＳ４０４及びステップＳ４０６の処理手順によって形成された両面印刷時の印字濃度調整後のブラック（Ｂｋ）インクによる両面用ジャギー補正ドットパターン及び／又はシアン（Ｃ）インク、マゼンタ（Ｍ）インク、及びイエロー（Ｙ）インクによる両面用ジャギー補正ドットパターンとを重畳して合成し、コンポジットブラックを再現色とするジャギー補正後両面黒文字５６（ビットマップデータ）を形成し、フォントデータメモリ３６に展開（ロード）する（ステップＳ４０７）。
【０１４８】
その結果、画像処理装置４００は、ステップＳ４０７の処理手順によって展開（ロード）されたコンポジットブラックを再現色としたジャギー補正後両面黒文字５６（ビットマップデータ）を、ラスタライザ３３を介してラスタデータメモリ３４に一時保持され、インタフェースを介して画像形成装置５００に出力される。
【０１４９】
＜まとめ＞
以上のように、本発明の第１の実施形態によれば、本実施形態に係る画像処理装置４００は、両面印刷時のジャギー補正を以下の処理手順により実現している。
【０１５０】
（手順１）補正ドットの色情報を取得
本実施形態に係る画像処理装置４００は、ジャギー補正ドット形成部４１によって、フォントデータメモリ３６に展開（ロード）されたドットフォント（ビットマップデータ）から文字の色情報を取得する。
【０１５１】
（手順２）補正ドットの配置位置情報を取得
画像処理装置４００は、ジャギー補正ドット形成部４１によって、ジャギー検出パターンを用いてパターンマッチングを行い、文字の輪郭部に発生したジャギーを検出し、検出したときの注目画素の位置を取得する。
【０１５２】
（手順３）両面用ジャギー補正パターン５２を生成
画像処理装置４００は、ジャギー補正ドット形成部４１によって、（Ａ）において取得した文字の色情報を基に、再現色に対応する両面用ジャギー補正パターン５２を生成する。このとき生成される補正パターンには、（Ｂ）において取得した注目画素の位置とを基にした黒文字（文字画像）５１の座標空間における補正ドットの配置位置と、両面印刷時の印字濃度調整に対応したジャギー補正を行うための補正ドットのドットサイズ（インクの付着量）とが、所定のデータ形式で設定されている。
【０１５３】
（手順４）両面用ジャギー補正ドット５３の形成
画像処理装置４００は、ジャギー補正ドット形成部４１によって、再現色に対応する両面用ジャギー補正パターン５２に含まれる補正ドットの配置位置とドットサイズ（インクの付着量）とに基づいて、両面印刷時の印字濃度調整を同じ濃度の再現色による両面用ジャギー補正ドット５３を形成する。その結果、ジャギー補正ドット形成部４１は、形成された両面用ジャギー補正ドット５３を、補正ドットの配置位置に基づいて、ドットフォントと同じ座標空間に配置した両面用補正ドットパターンを形成する。
【０１５４】
（手順５）ジャギー補正
画像処理装置４００は、ジャギー補正部３５bが有する合成部４２によって、ジャギー補正ドット形成部４１により形成された両面用ジャギー補正ドット５３がドットフォントと同じ座標空間に配置された両面用補正ドットパターンを、ジャギー補正前両面黒文字５５（両面印刷時の中間調処理においてインク付着量制御係数５４（所定の係数）を用いて印字濃度調整されたドットフォント）に重畳することで合成する。その結果、両面印刷時に対応した両面用ジャギー補正ドット５３をジャギーが発生していた箇所に適用する。
【０１５５】
このように、本実施形態に係る画像処理装置４００は、上記（手順１）〜（手順５）によって、文字画像の階段状に変化した（ジャギーが発生した）輪郭部に対し、階段状の変化（ジャギー）を軽減する補正（ジャギー補正）を行うときに、画像形成される補正ドットの再現色の濃度が裏写りを抑制するための濃度と同じ濃度となるように、補正ドット形成時のインクの付着量（ドットサイズ）を調整することができる。
【０１５６】
よって、本実施形態に係る画像処理装置４００は、両面印刷において、文字画像の階段状の変化（ジャギー）が目立たず、高品質の印字が可能なジャギー補正機能を提供することができる。
【０１５７】
［第２の実施形態］
本実施形態に係る画像処理装置４００は、両面印刷時の印字濃度調整を行う前に、黒文字（文字画像）５１に対して補正画像を付加してジャギー補正を行うことのできる装置である。
【０１５８】
第１の実施形態に係る画像処理装置４００では、両面印刷時の印刷濃度調整後のジャギー補正前両面黒文字５５（両面印刷時の中間調処理においてインク付着量制御係数５４（所定の係数）を用いて印字濃度調整されたドットフォント）に、両面印刷時の印字濃度調整を同じ濃度の再現色による両面用ジャギー補正ドット５３を重畳して合成し、ジャギー補正を行うものであった。
【０１５９】
そこで、本実施形態では、両面印刷時の印字濃度調整を行う前の黒文字（文字画像）５１に対して、ジャギー検出パターンを用いてパターンマッチングを行い、ジャギーを検出したときの注目画素、すなわちジャギー補正を行う画素に、補正ドットを形成するような階調値を有する画素を付加し、その後に中間調処理を行いジャギー補正する画像処理装置４００を実現している。
【０１６０】
以降に、本実施形態に係る画像処理装置４００について、図１８〜２０を用いて説明する。また、第１の実施形態と同様の技術的事項については、第１の実施形態で説明を行った図面及び参照符号を用いて説明を省略する。
【０１６１】
＜両面印刷時のジャギー補正の機能構成について＞
図１８は、本発明の第２の実施形態に係る両面印刷時のジャギー補正（補正画素付加方式）の機能構成の一例を示す図である。
【０１６２】
本実施形態に係るジャギー補正機能は、第１の実施形態において図１３を用いて説明を行ったように、フォントプロセス３５が備えるジャギー補正部３５bによって実現される。本実施形態に係るジャギー補正部３５bは、ジャギー補正画素付加部６１から構成されている。
【０１６３】
ジャギー補正画素付加部６１は、黒文字の文字画像５１に、両面用ジャギー補正画素を付加し、両面印刷時の印字濃度調整前の両面用ジャギー補正画素データ７１を形成する機能（補正画素付加手段）である。
【０１６４】
ジャギー補正画素付加部６１は、図１０において説明したパターンマッチングによりジャギーが検出されたときに、補正を行う画素として特定された注目画素の階調値を、例えば、両面用ジャギー補正ドット５３が、大・中・小ドット（大滴・中滴・小滴）の３段階のドットサイズ（インクの付着量）で構成されるときに、大・中・小ドット（大滴・中滴・小滴）のうちジャギー補正に適切なドットサイズ（インクの付着量）による補正ドットを形成するような階調値に置き換え（ジャギー補正画素を付加し）、両面印刷時の印字濃度調整前の両面用ジャギー補正画素データ７１を形成する。
【０１６５】
その後、ジャギー補正画素付加部６１によって形成された両面用ジャギー補正画素データ７１は、文字形成部３５c（文字形成手段）によって、両面印刷時の裏写りを抑制するためインク付着量制御係数５４（所定の係数）を用いて印字濃度調整が中間調処理の工程で行われ、両面印刷時の印字濃度調整と同じ濃度の再現色による両面用ジャギー補正ドット５３を含むジャギー補正後両面黒文字５６（ビットマップデータ）が形成される。その結果、本実施形態に係るジャギー補正機能は、両面印刷時に対応した両面用ジャギー補正ドット５３をジャギーが発生していた箇所に適用することができる。
【０１６６】
形成されたジャギー補正後両面黒文字５６（ビットマップデータ）は、文字形成部３５cによって、フォントデータメモリ３６に展開（ロード）され、展開（ロード）されたジャギー補正後両面黒文字５６（ビットマップデータ）は、ラスタライザ３３を介してラスタデータメモリ３４に一時保持され、インタフェースを介して画像形成装置５００に出力される。
【０１６７】
次に、図１８に示す本実施形態に係るジャギー補正機能の動作例について図１９を用いて説明する。図１９は、本発明の第２の実施形態に係るジャギー補正（補正画素付加方式）の動作例を示す図である。
【０１６８】
本実施形態に係るジャギー補正機能は、第１の実施形態で図１０に示した、補正ドットに小ドット（小滴）のみ用いるジャギー補正の処理手順と同じ手順によって実行される。
【０１６９】
本実施形態に係る画像処理装置４００は、図１０に示すようなジャギー補正の処理手順によって、例えば、図１９（中段）のドット配置に示すような文字の輪郭部であった場合に、図１９（上段）に示すジャギー検出パターンとマッチングするため、図１９（下段）に示すように、注目画素の階調値を、小ドット（小滴）を生成する所定の階調値に置換する。
【０１７０】
また、本実施形態においても、第１の実施形態において図１２に示した、補正ドットのドットサイズ（インクの付着量）と階調値とを関連付けた階調値変換データを基に、注目画素の階調値を変換する。
【０１７１】
このように、本実施形態に係る画像処理装置４００は、階調値変換データと両面用ジャギー補正ドット５３のドットサイズ（インクの付着量）を示すデータに基づいて、ジャギー補正の対象となった注目画素を、大・中・小ドット（大滴・中滴・小滴）のうちジャギー補正に適切なドットサイズ（インクの付着量）による補正ドットを形成するような階調値に置き換えることができる。
【０１７２】
＜両面印刷時のジャギー補正の基本補正手順について＞
図１８を用いて説明を行った機能構成による両面印刷時のジャギー補正の基本補正手順について図２０を用いて説明する。図２０は、本発明の第２の実施形態に係る両面印刷時のジャギー補正（補正画素付加方式）の補正手順の一例を示す図である。
【０１７３】
本実施形態に係る画像処理装置４００は、ジャギー補正部３５bが有するジャギー補正画素付加部６１によって、ドット展開部３５aによりフォントデータメモリ３６に展開（ロード）された黒文字（文字画像）５１に対して、ジャギー検出パターンを参照してパターンマッチングを行い、文字の輪郭部に発生したジャギーを検出する（ステップＳ５０１）。
【０１７４】
画像処理装置４００は、ジャギー補正部３５bが有するジャギー補正画素付加部６１によって、ジャギー検出時の注目画素の位置、すなわち補正画素の位置に基づいて、注目画素の階調値を、大・中・小ドット（大滴・中滴・小滴）のうちジャギー補正に適切なドットサイズ（インクの付着量）による補正ドットを形成するような階調値に置き換え（ジャギー補正画素を付加し）、両面用ジャギー補正画素データ７１を形成する（ステップＳ５０２）。
【０１７５】
画像処理装置４００は、文字形成部３５cによって、ジャギー補正画素付加部６１により形成された両面用ジャギー補正画素データ７１に対して、インク付着量制御係数５４を用いて印字濃度調整し、調整された文字画像に中間調処理を行い、両面印刷時の印字濃度調整後のジャギー補正後両面黒文字５６（ビットマップデータ）を形成し、フォントデータメモリ３６に展開（ロード）する（ステップＳ５０３及びステップＳ５０４）。
【０１７６】
その結果、画像処理装置４００は、ステップＳ５０４の処理手順によって展開（ロード）されたジャギー補正後両面黒文字５６（ビットマップデータ）を、ラスタライザ３３を介してラスタデータメモリ３４に一時保持され、インタフェースを介して画像形成装置５００に出力される。
【０１７７】
＜まとめ＞
以上のように、本発明の第２の実施形態によれば、本実施形態に係る画像処理装置４００は、両面印刷において、文字画像の階段状に変化した（ジャギーが発生した）輪郭部に対し、階段状の変化（ジャギー）を軽減する補正（ジャギー補正）を行うときに、画像形成される補正ドットの再現色の濃度が裏写りを抑制するための濃度と同じ濃度となるように注目画素の階調値を変更する（同じ濃度となるような階調値を有する画素を付加する）ことによって、補正ドット形成時のインクの付着量（ドットサイズ）を調整することができる。
【０１７８】
よって、本実施形態に係る画像処理装置４００は、両面印刷において、文字画像の階段状の変化（ジャギー）が目立たず、高品質の印字が可能なジャギー補正機能を提供することができる。
【０１７９】
［第３の実施形態］
本実施形態に係る画像処理装置４００は、所定の加工が施された黒文字（文字画像）５１に対応してジャギー補正を行うことのできる装置である。
【０１８０】
第１及び第２の実施形態に係る画像処理装置４００では、太文字処理や輪郭強調処理が施されていない黒文字（文字画像）５１に対してジャギー補正を行うものであった。
【０１８１】
そこで、本実施形態では、印字された文字の視認性を向上させるために、黒文字（文字画像）５１に対して太文字処理又は輪郭強調処理を施し、どちらか一方の加工処理を行った後にジャギー補正する画像処理装置４００を実現している。
【０１８２】
以降に、本実施形態に係る画像処理装置４００について、図２１〜２９を用いて説明する。また、第１及び第２の実施形態と同様の技術的事項については、第１及び第２の実施形態で説明を行った図面及び参照符号を用いて説明を省略する。
【０１８３】
＜両面印刷時のジャギー補正の機能構成（文字太らせ機能を含む）について＞
図２１は、本発明の第３の実施形態に係る両面印刷時のジャギー補正機能（文字太らせ機能を含む補正ドット付加方式）の機能構成の一例を示す図である。
【０１８４】
本実施形態に係るジャギー補正機能は、第１の実施形態において図１３を用いて説明を行ったように、フォントプロセス３５が備えるジャギー補正部３５bによって、黒文字（文字画像）５１に対して両面用ジャギー補正ドット５３を付加し、ジャギー補正を行う。
【０１８５】
本実施形態と第１の実施形態との違いは、文字太らせ部３５dによって黒文字（文字画像）５１に太文字処理が施され、太文字処理された太文字画像がジャギー補正部３５に入力される点である。
【０１８６】
＜＜太文字処理について＞＞
文字太らせ部３５dは、黒文字（文字画像）５１の輪郭部に隣接する空白画素を、太らせ用の画素に置き換えて（付加して）太文字処理を行い、太文字画像を形成する機能（太文字画像形成手段）である。
【０１８７】
次に、文字形成部３５cは、文字太らせ部３５dにより形成された太文字画像に対して、両面印刷時の裏写りを抑制するための印字濃度調整を行うインク付着量制御係数５４（所定の係数）を用いて印字濃度調整し、調整された太文字画像に中間調処理を行うことで、両面印刷時に太文字処理を施した太文字画像を形成する。このとき、太文字処理の中で付加する太らせ用の画素の階調値は、入力された黒文字（文字画像）５１の階調値と同じ階調値とする。また、文字の輪郭部を濃く表現する場合には、入力された黒文字（文字画像）５１の階調値よりも高い階調値としてもよい。
【０１８８】
＜両面印刷時の太文字処理を行ったときのジャギー補正（補正ドット付加方式）の基本補正手順について＞
図２２は、本発明の第３の実施形態に係る両面印刷時の太文字画像のジャギー補正（補正ドット付加方式）の補正手順の一例を示す図である。
【０１８９】
本実施形態に係る画像処理装置４００は、文字太らせ部３５dによって、ドット展開部３５aによりフォントデータメモリ３６に展開（ロード）された黒文字（文字画像）５１の輪郭部に隣接する空白画素を、太らせ用の画素に置き換えて（付加して）、太文字画像を形成する（ステップＳ６０１及びステップＳ６０２）。
【０１９０】
画像処理装置４００は、文字形成部３５cによって、文字太らせ部３５dにより形成された太文字画像に対して、インク付着量制御係数５４を用いて印字濃度調整し、調整された文字画像に中間調処理を行い、太文字処理後のジャギー補正前両面黒文字５５a（ドットフォント）を形成する（ステップＳ６０３、ステップＳ６０４、及びステップＳ６０５）。
【０１９１】
画像処理装置４００は、ジャギー補正部３５bが有するジャギー補正ドット形成部４１によって、文字太らせ部３５dにより形成された太文字画像に対して、ジャギー検出パターンを用いてパターンマッチングを行い、文字の輪郭部に発生したジャギーを検出し、文字の色から生成した両面用ジャギー補正パターン５２を参照し、検出した注目画素の位置情報である補正ドットの位置と、両面印刷時の中間調処理によって印字濃度調整された階調を再現する両面用ジャギー補正ドット５３aのドットサイズ（インクの付着量）とに基づいて、太文字処理に対応する両面用ジャギー補正ドット５３aからなる両面印刷時の印字濃度調整後の両面用ジャギー補正ドットパターンを形成する（ステップＳ６０６）。
【０１９２】
画像処理装置４００は、ジャギー補正部３５bが有する合成部４２によって、ステップＳ６０５の処理手順によって形成された太文字処理後のジャギー補正前両面黒文字５５a（ドットフォント）と、ステップＳ６０６の処理手順によって形成された太文字処理に対応する両面用ジャギー補正ドットパターンとを重畳して合成し、太文字処理後のジャギー補正後両面黒文字５６a（ビットマップデータ）を形成し、フォントデータメモリ３６に展開（ロード）する（ステップＳ６０７）。
【０１９３】
その結果、画像処理装置４００は、ステップＳ６０７の処理手順によって展開（ロード）された太文字処理後のジャギー補正後両面黒文字５６a（ビットマップデータ）を、ラスタライザ３３を介してラスタデータメモリ３４に一時保持され、インタフェースを介して画像形成装置５００に出力される。
【０１９４】
＜両面印刷時のジャギー補正の機能構成について＞
図２３は、本発明の第３の実施形態に係る両面印刷時のジャギー補正機能（文字太らせ機能を含む補正画素付加方式）の機能構成の一例を示す図である。
【０１９５】
本実施形態に係るジャギー補正機能は、第２の実施形態において図１８を用いて説明を行ったように、フォントプロセス３５が備えるジャギー補正部３５bによって、黒文字（文字画像）５１に対して両面用ジャギー補正画素を付加し、ジャギー補正を行うこともできる。
【０１９６】
ジャギー補正部３５bが有するジャギー補正画素付加部６１は、文字太らせ部３５dによって形成された太文字画像に対して、両面用ジャギー補正画素を付加し（注目画素の階調値を、両面印刷時の印字濃度調整と同じ濃度の再現色による両面用ジャギー補正ドット５３を形成する階調値に置き換える。）、両面用ジャギー補正画素データ７１aを形成する。
【０１９７】
＜両面印刷時の太文字処理を行ったときのジャギー補正（補正画素付加方式）の基本補正手順について＞
図２４は、本発明の第３の実施形態に係る両面印刷時の太文字画像のジャギー補正（補正画素付加方式）の補正手順の一例を示す図である。
【０１９８】
本実施形態に係る画像処理装置４００は、文字太らせ部３５dによって、ドット展開部３５aによりフォントデータメモリ３６に展開（ロード）された黒文字（文字画像）５１の輪郭部に隣接する空白画素を、太らせ用の画素に置き換えて（付加して）、太文字画像を形成する（ステップＳ７０１及びステップＳ７０２）。
【０１９９】
画像処理装置４００は、ジャギー補正部３５bが有するジャギー補正画素付加部６１によって、文字太らせ部３５dにより形成された太文字画像に対して、ジャギー検出パターンを用いてパターンマッチングを行い、文字の輪郭部に発生したジャギーを検出し、注目画素の位置（補正画素の位置）に基づいて、検出した注目画素の階調値を、ジャギー補正に適切なドットサイズ（インクの付着量）の両面用ジャギー補正ドット５３aを形成するような階調値に置き換え（ジャギー補正画素を付加し）、両面用ジャギー補正画素データ７１aを形成する（ステップＳ７０３）。
【０２００】
画像処理装置４００は、文字形成部３５cによって、ジャギー補正画素付加部６１により形成された両面用ジャギー補正画素データ７１aに対して、インク付着量制御係数５４を用いて印字濃度調整し、調整された文字画像に中間調処理を行い、両面印刷時の印字濃度調整後のジャギー補正後両面黒文字５６a（ビットマップデータ）を形成し、フォントデータメモリ３６に展開（ロード）する（ステップＳ７０４及びステップＳ７０５）。
【０２０１】
その結果、画像処理装置４００は、ステップＳ７０５の処理手順によって展開（ロード）されたジャギー補正後両面黒文字５６a（ビットマップデータ）を、ラスタライザ３３を介してラスタデータメモリ３４に一時保持され、インタフェースを介して画像形成装置５００に出力される。
【０２０２】
＜両面印刷時のジャギー補正の機能構成（輪郭強調機能を含む）について＞
図２５は、本発明の第３の実施形態に係る両面印刷時のジャギー補正機能（輪郭強調機能を含む補正ドット付加方式）の機能構成の一例を示す図である。また、本実施形態と第１の実施形態との違いは、輪郭強調部３５eによって黒文字（文字画像）５１に輪郭強調処理が施され、輪郭強調処理された輪郭強調文字画像がジャギー補正部３５に入力される点である。
【０２０３】
＜＜輪郭強調処理について＞＞
輪郭強調部３５eは、黒文字（文字画像）５１の輪郭部の画素を、輪郭強調用の画素に置き換えて輪郭強調処理を行い、輪郭強調文字画像を形成する機能（輪郭強調文字画像形成手段）である。
【０２０４】
次に、文字形成部３５cは、輪郭強調部３５eにより形成された輪郭強調文字画像に対して、両面印刷時の裏写りを抑制するための印字濃度調整を行うインク付着量制御係数５４（所定の係数）を用いて印字濃度調整し、調整された輪郭強調文字画像に中間調処理を行うことで、両面印刷時に輪郭強調処理を施した輪郭強調文字画像を形成する。このとき、輪郭強調処理の中で元の画素を置き換える輪郭強調用の画素の階調値は、入力された黒文字（文字画像）５１の階調値よりも高い階調値とする。
【０２０５】
＜両面印刷時の輪郭強調処理を行ったときのジャギー補正（補正ドット付加方式）の基本補正手順について＞
図２６は、本発明の第３の実施形態に係る両面印刷時の輪郭強調文字画像のジャギー補正（補正ドット付加方式）の補正手順の一例を示す図である。
【０２０６】
本実施形態に係る画像処理装置４００は、輪郭強調部３５eによって、ドット展開部３５aによりフォントデータメモリ３６に展開（ロード）された黒文字（文字画像）５１の輪郭部の画素を、輪郭強調用の画素に置き換えて、輪郭強調文字画像を形成する（ステップＳ８０１及びステップＳ８０２）。
【０２０７】
画像処理装置４００は、文字形成部３５cによって、輪郭強調部３５eにより形成された輪郭強調文字画像に対して、インク付着量制御係数５４を用いて印字濃度調整し、調整された文字画像に中間調処理を行い、輪郭強調処理後のジャギー補正前両面黒文字５５a（ドットフォント）を形成する（ステップＳ８０３、ステップＳ８０４、及びステップＳ８０５）。
【０２０８】
画像処理装置４００は、ジャギー補正部３５bが有するジャギー補正ドット形成部４１によって、輪郭強調部３５eにより形成された輪郭強調文字画像に対して、ジャギー検出パターンを用いてパターンマッチングを行い、文字の輪郭部に発生したジャギーを検出し、文字の色から生成した両面用ジャギー補正パターン５２を参照し、検出した注目画素の位置情報である補正ドットの位置と、両面印刷時の中間調処理によって印字濃度調整された階調を再現する両面用ジャギー補正ドット５３aのドットサイズ（インクの付着量）とに基づいて、輪郭強調処理に対応する両面用ジャギー補正ドット５３aからなる両面印刷時の印字濃度調整後の両面用ジャギー補正ドットパターンを形成する（ステップＳ８０６）。
【０２０９】
画像処理装置４００は、ジャギー補正部３５bが有する合成部４２によって、ステップＳ８０５の処理手順によって形成された輪郭強調処理後のジャギー補正前両面黒文字５５a（ドットフォント）と、ステップＳ８０６の処理手順によって形成された輪郭強調処理に対応する両面用ジャギー補正ドットパターンとを重畳して合成し、輪郭強調処理後のジャギー補正後両面黒文字５６a（ビットマップデータ）を形成し、フォントデータメモリ３６に展開（ロード）する（ステップＳ８０７）。
【０２１０】
その結果、画像処理装置４００は、ステップＳ８０７の処理手順によって展開（ロード）された輪郭強調処理後のジャギー補正後両面黒文字５６a（ビットマップデータ）を、ラスタライザ３３を介してラスタデータメモリ３４に一時保持され、インタフェースを介して画像形成装置５００に出力される。
【０２１１】
＜両面印刷時のジャギー補正の機能構成について＞
図２７は、本発明の第３の実施形態に係る両面印刷時のジャギー補正機能（輪郭強調機能を含む補正画素付加方式）の機能構成の一例を示す図である。また、本実施形態に係るジャギー補正機能は、ジャギー補正部３５bが有するジャギー補正画素付加部６１によって、輪郭強調部３５eにより形成された輪郭強調文字画像に対して、両面用ジャギー補正画素を付加し（注目画素の階調値を、両面印刷時の印字濃度調整と同じ濃度の再現色による両面用ジャギー補正ドット５３を形成する階調値に置き換える。）、両面用ジャギー補正画素データ７１aを形成する。
【０２１２】
＜両面印刷時の輪郭強調処理を行ったときのジャギー補正（補正画素付加方式）の基本補正手順について＞
図２８は、本発明の第３の実施形態に係る両面印刷時の輪郭強調文字画像のジャギー補正（補正画素付加方式）の補正手順の一例を示す図である。
【０２１３】
本実施形態に係る画像処理装置４００は、輪郭強調部３５eによって、ドット展開部３５aによりフォントデータメモリ３６に展開（ロード）された黒文字（文字画像）５１の輪郭部の画素を、輪郭強調用の画素に置き換えて、輪郭強調文字画像を形成する（ステップＳ９０１及びステップＳ９０２）。
【０２１４】
画像処理装置４００は、ジャギー補正部３５bが有するジャギー補正画素付加部６１によって、輪郭強調部３５eにより形成された輪郭強調文字画像に対して、ジャギー検出パターンを用いてパターンマッチングを行い、文字の輪郭部に発生したジャギーを検出し、注目画素の位置（補正画素の位置）に基づいて、検出した注目画素の階調値を、ジャギー補正に適切なドットサイズ（インクの付着量）の両面用ジャギー補正ドット５３aを形成するような階調値に置き換え（ジャギー補正画素を付加し）、両面用ジャギー補正画素データ７１aを形成する（ステップＳ９０３）。
【０２１５】
画像処理装置４００は、文字形成部３５cによって、ジャギー補正画素付加部６１により形成された両面用ジャギー補正画素データ７１aに対して、インク付着量制御係数５４を用いて印字濃度調整し、調整された文字画像に中間調処理を行い、両面印刷時の印字濃度調整後のジャギー補正後両面黒文字５６a（ビットマップデータ）を形成し、フォントデータメモリ３６に展開（ロード）する（ステップＳ９０４及びステップＳ９０５）。
【０２１６】
その結果、画像処理装置４００は、ステップＳ９０５の処理手順によって展開（ロード）されたジャギー補正後両面黒文字５６a（ビットマップデータ）を、ラスタライザ３３を介してラスタデータメモリ３４に一時保持され、インタフェースを介して画像形成装置５００に出力される。
【０２１７】
＜太文字処理と輪郭強調処理との制御について＞
また、本実施形態に係る画像処理装置４００は、文字太らせ部３５d又は輪郭強調部３５eによって実行される各処理を、黒文字（文字画像）５１に対して行うか否かを制御する。
【０２１８】
例えば、文字サイズが６ポイント以下の場合に、黒文字（文字画像）５１に対して太文字処理や輪郭強調処理を行うと、インク滲みによって文字の視認性が低下してしまう。
【０２１９】
また、利用者の好みは千差万別であり、利用者によっては、本実施形態に挙げた視認性向上を目的とする各種画像処理を常に実行させることを望む場合や、逆に実行させないことを望む場合などがある。
【０２２０】
このことから、本実施形態では、予め決めておいた文字サイズを閾値に、入力された黒文字（文字画像）５１の文字サイズが閾値より大きければ、文字太らせ部３５d又は輪郭強調部３５eのどちらか一方を選択的に実行する切り替え手段を有している。
【０２２１】
よって、本実施形態では、利用者によって、「視認性向上のための太文字処理や輪郭強調処理を実行するか否かを制御する閾値」や「視認性向上のための処理を実行する場合に太文字処理又は輪郭強調処理のどちらを実行するか」などの各種設定値を設定可能なユーザインターフェース（UI）を、画像処理装置４００側に備えている。例えば、本実施形態の場合では、画像処理プログラムであるプリンタドライバの印刷モード設定画面を提供する。また、画像形成装置５００側において設定を行う場合には、操作パネル２１４に表示された設定項目を、テンキーを介して設定する。このように、視認性向上を目的とする太文字処理や輪郭強調処理の実行制御を設定可能としておくことで、利用者の所望する印刷品質を実現することができる。
【０２２２】
＜ジャギー補正機能における太文字処理と輪郭強調処理との制御手順について＞
図２９は、本発明の第３の実施形態に係る文字太らせ機能と輪郭強調機能とを制御する処理手順の一例を示す図である。
【０２２３】
本実施形態に係る画像処理装置４００は、印刷しようとしている文字のサイズが所定の文字サイズである閾値より大きいか否かを判定する（ステップＳ１００１）。
【０２２４】
画像処理装置４００は、文字のサイズが閾値より大きい場合（ステップＳ１００１がYESの場合）、視認性向上のための画像処理に太文字処理又は輪郭強調処理のどちらが選択設定されているかを判定する（ステップＳ１００２）。
【０２２５】
画像処理装置４００は、太文字処理が設定されていた場合（ステップＳ１００２が「太文字処理」の場合）、文字太らせ部３５dによって太文字処理を行い（ステップＳ１００３）、その後にジャギー補正を行う（ステップＳ１００４）。
【０２２６】
画像処理装置４００は、輪郭強調処理が設定されていた場合（ステップＳ１００２が「輪郭強調処理」の場合）、輪郭強調部３５eによって輪郭強調処理を行い（ステップＳ１００５）、その後にジャギー補正を行う（ステップＳ１００６）。
【０２２７】
また、画像処理装置４００は、文字のサイズが閾値以下の場合（ステップＳ１００１がNOの場合）、視認性向上のための画像処理を行わず、通常のジャギー補正を行う（ステップＳ１００７）。
【０２２８】
＜まとめ＞
以上のように、本発明の第３の実施形態によれば、本実施形態に係る画像処理装置４００は、両面印刷において、文字画像の階段状に変化した（ジャギーが発生した）輪郭部に対し、階段状の変化（ジャギー）を軽減する補正（ジャギー補正）を行うときに、画像形成される補正ドットの再現色の濃度が裏写りを抑制するための濃度と同じ濃度となるように、補正ドット形成時のインクの付着量（ドットサイズ）を調整することができる。
【０２２９】
また、本実施形態に係る画像処理装置４００では、文字太らせ部３５dや輪郭強調部３５eによって、太文字処理や輪郭強調処理された文字画像に対しても、ジャギー補正を行うことができる。
【０２３０】
よって、本実施形態に係る画像処理装置４００は、両面印刷時において、文字画像の階段状の変化（ジャギー）が目立たず、視認性が良く高品質の印字が可能なジャギー補正機能を提供することができる。
【０２３１】
＜画像印刷システムの構成に関する変形例について＞
図３０及び図３１は、本発明の変形例に係る画像印刷システムの構成例を示す図である。
【０２３２】
これまで各実施形態では、画像処理装置４００においてジャギー補正機能を実現する画像印刷システムについて説明を行ってきた。
【０２３３】
しかし、図３０及び図３１に示すように、本実施形態に係るジャギー補正機能を有する画像印刷システムは、画像処理装置４００側と画像形成装置５００側で実現する機能を分けた形で構成してもよく、また、画像形成装置５００側で全ての機能を実現する形（画像形成装置が画像処理装置４００としての機能を有する形）で構成してもよい。画像処理装置４００と画像形成装置５００とが有するハードウェア資源に応じて印刷性能や印刷品質が最適となるように実装すればよい。
【０２３４】
各実施形態において説明を行った画像形成装置１００の各機能は、動作環境（プラットフォーム）にあったプログラミング言語でコード化された画像処理プログラムを、制御部１１で実行することにより実現される。
【０２３５】
よって、本実施形態に係る画像処理プログラムは、フロッピー（登録商標）ディスク、ＣＤ、ＤＶＤなどの記憶媒体に記憶させることによって、これらの記憶媒体を読み取り可能な装置から、画像処理装置４００などの情報処理装置（ＰＣ）にインストールすることができる。また、画像処理装置４００などの情報処理装置（ＰＣ）は、ホストＩ／Ｆ４０７を備えていることから、インターネットを用いて画像処理プログラムをダウンロードし、インストールすることもできる。
【０２３６】
また、各実施形態に係る画像形成装置５００は、インクジェット記録方式による画像形成装置５００を例に説明を行ったが、インク以外の記録液を用いた画像形成装置であってもよい。
【０２３７】
最後に、上記各実施形態に挙げた形状に、その他の要素との組み合わせなど、ここで示した要件に、本発明が限定されるものではない。これらの点に関しては、本発明の主旨をそこなわない範囲で変更することが可能であり、その応用形態に応じて適切に定めることができる。
【図面の簡単な説明】
【０２３８】
【図１】本発明の第１の実施形態に係る画像形成装置のハードウェア構成の一例を示す図である。
【図２】本発明の第１の実施形態に係る画像形成装置が有する印刷制御部及びヘッドドライバとの動作制御の一例を示す図である。
【図３】本発明の第１の実施形態に係るインクを吐出するときの駆動波形の一例（その１）を示す図である。
【図４】本発明の第１の実施形態に係るインクを吐出するときの駆動波形の一例（その２）を示す図である。
【図５】本発明の第１の実施形態に係る画像印刷システムの構成例を示す図である。
【図６】本発明の第１の実施形態に係る画像処理装置のハードウェア構成の一例を示す図である。
【図７】本発明の第１の実施形態に係る文字のビットマップデータ（ドットフォント）形成機能の機能構成の一例を示す図である。
【図８】本発明の第１の実施形態に係る１文字を処理するときの処理手順の一例を示すフローチャートである。
【図９】本発明の第１の実施形態に係るジャギー補正前と補正後のドット配列の一例を示す図である。
【図１０】本発明の第１の実施形態に係るジャギー補正（パターンマッチングによる補正）の処理手順の一例を示す図である。
【図１１】本発明の第１の実施形態に係るジャギー補正（補正ドット付加方式）の動作例を示す図である。
【図１２】本発明の第１の実施形態に係る注目画素の階調値変換情報を示す図である。
【図１３】本発明の第１の実施形態に係る両面印刷時のジャギー補正機能（補正ドット付加方式）の機能構成の一例を示す図である。
【図１４】本発明の第１の実施形態に係る両面印刷時のジャギー補正（補正ドット付加方式）の補正手順の一例を示す図である。
【図１５】本発明の第１の実施形態に係るコンポジットブラックについて説明する図である。
【図１６】本発明の第１の実施形態に係るコンポジットブラックを再現する両面印刷時のドット付加によるジャギー補正の補正手順（その１）を示す図である。
【図１７】本発明の第１の実施形態に係るコンポジットブラックを再現する両面印刷時のドット付加によるジャギー補正の補正手順（その２）を示す図である。
【図１８】本発明の第２の実施形態に係る両面印刷時のジャギー補正（補正画素付加方式）の機能構成の一例を示す図である。
【図１９】本発明の第２の実施形態に係るジャギー補正（補正画素付加方式）の動作例を示す図である。
【図２０】本発明の第２の実施形態に係る両面印刷時のジャギー補正（補正画素付加方式）の補正手順の一例を示す図である。
【図２１】本発明の第３の実施形態に係る両面印刷時のジャギー補正機能（文字太らせ機能を含む補正ドット付加方式）の機能構成の一例を示す図である。
【図２２】本発明の第３の実施形態に係る両面印刷時の太文字画像のジャギー補正（補正ドット付加方式）の補正手順の一例を示す図である。
【図２３】本発明の第３の実施形態に係る両面印刷時のジャギー補正機能（文字太らせ機能を含む補正画素付加方式）の機能構成の一例を示す図である。
【図２４】本発明の第３の実施形態に係る両面印刷時の太文字画像のジャギー補正（補正画素付加方式）の補正手順の一例を示す図である。
【図２５】本発明の第３の実施形態に係る両面印刷時のジャギー補正機能（輪郭強調機能を含む補正ドット付加方式）の機能構成の一例を示す図である。
【図２６】本発明の第３の実施形態に係る両面印刷時の輪郭強調文字画像のジャギー補正（補正ドット付加方式）の補正手順の一例を示す図である。
【図２７】本発明の第３の実施形態に係る両面印刷時のジャギー補正機能（輪郭強調機能を含む補正画素付加方式）の機能構成の一例を示す図である。
【図２８】本発明の第３の実施形態に係る両面印刷時の輪郭強調文字画像のジャギー補正（補正画素付加方式）の補正手順の一例を示す図である。
【図２９】本発明の第３の実施形態に係る文字太らせ機能と輪郭強調機能とを制御する処理手順の一例を示す図である。
【図３０】本発明の変形例に係る画像印刷システムの構成例（その１）を示す図である。
【図３１】本発明の変形例に係る画像印刷システムの構成例（その２）を示す図である。
【符号の説明】
【０２３９】
１１  キャリッジ
１２  主走査モータ
１３、１６  エンコーダセンサ
１４  副操作モータ
１５  搬送ベルト
３１  アプリケーションソフトウェア
３２  描画データメモリ
３３  ラスタライザ
３４  ラスタデータメモリ
３５  フォントプロセッサ
３５a  ドット展開部
３５b  ジャギー補正部
３５c  文字形成部（文字形成手段）
３５d  文字太らせ部（太文字画像形成手段）
３５e  輪郭強調部（輪郭強調文字画像形成手段）
３６  フォントデータメモリ
４１  ジャギー補正ドット形成部（補正ドット形成手段）
４２  合成部（合成手段）
５１  黒文字（文字画像）
５２  両面用ジャギー補正パターン
５２bk  両面用Ｂｋジャギー補正パターン（Ｂｋインクに対応する補正パターン）
５２cmy  両面用ＣＭＹジャギー補正パターン（ＣＭＹインクに対応する補正パターン）
５３  両面用ジャギー補正ドット（補正ドット）
５３a  両面用ジャギー補正ドット（太文字画像又は輪郭強調画像に対する補正ドット）
５３bk  両面用Ｂｋジャギー補正ドット（Ｂｋインクに対応する補正ドット）
５３cmy  両面用ＣＭＹジャギー補正ドット（ＣＭＹインクに対応する補正ドット）
５４  インク付着量制御係数（所定の係数）
５５  ジャギー補正前両面黒文字（ドットフォント）
５５a  ジャギー補正前両面黒文字（太文字又は輪郭強調後のドットフォント）
５６  ジャギー補正後両面黒文字
５６a  ジャギー補正後両面黒文字（太文字画像又は輪郭強調画像に対するジャギー補正後両面黒文字）
６１  ジャギー補正画素付加部（補正画素付加手段）
７１  両面用ジャギー補正画素データ（補正画素が付加された文字画像）
７１a  両面用ジャギー補正画素データ（太文字画像又は輪郭強調画像に対する補正画素付加後の文字画像）
２００  制御部
２０１、４０１  ＣＰＵ
２０２、４０２  ＲＯＭ
２０３、４０３  ＲＡＭ
２０４  ＮＶＲＡＭ
２０５  ＡＳＩＣ
２０６、４０７  ホストＩ／Ｆ
２０７  印刷制御部
２０８  ヘッドドライバ
２０９  記録ヘッド
２０９a  圧電素子
２１０  モータ制御部
２１１  ＡＣバイアス供給部
２１２  停電ローラ
２１３  Ｉ／Ｏ
２１４  操作パネル
２１５  温度センサ
３０１  駆動波形生成部
３０２  データ転送部
３１１  シフトレジスタ
３１２  ラッチ回路
３１３  デコーダ
３１４  レベルシフタ
３１５  アナログスイッチ
４００  画像処理装置
４０４  入力装置
４０５  モニタ
４０６  記憶装置
５００  画像形成装置（インクジェット記録方式による画像形成装置）
Ｖｅ  基準電圧
Ｐ１〜Ｐ８  駆動パルス（起動信号）
【図１】
0004825754.tif 000002
【図２】
0004825754.tif 000003
【図３】
0004825754.tif 000004
【図４】
0004825754.tif 000005
【図５】
0004825754.tif 000006
【図６】
0004825754.tif 000007
【図７】
0004825754.tif 000008
【図８】
0004825754.tif 000009
【図９】
0004825754.tif 000010
【図１０】
0004825754.tif 000011
【図１１】
0004825754.tif 000012
【図１２】
0004825754.tif 000013
【図１３】
0004825754.tif 000014
【図１５】
0004825754.tif 000015
【図１８】
0004825754.tif 000016
【図１９】
0004825754.tif 000017
【図２１】
0004825754.tif 000018
【図２３】
0004825754.tif 000019
【図２５】
0004825754.tif 000020
【図２７】
0004825754.tif 000021
【図２９】
0004825754.tif 000022
【図３０】
0004825754.tif 000023
【図３１】
0004825754.tif 000024
【図１４】
0004825754.tif 000025
【図１６】
0004825754.tif 000026
【図１７】
0004825754.tif 000027
【図２０】
0004825754.tif 000028
【図２２】
0004825754.tif 000029
【図２４】
0004825754.tif 000030
【図２６】
0004825754.tif 000031
【図２８】
0004825754.tif 000032